(57)【要約】  本発明の実施例は無線ネットワークに基づく通信方法、端末装置とネットワーク装置を提供する。該方法は、端末装置がネットワーク装置から送信された第一のダウンリンク制御情報（ＤＣＩ）を検出することと、端末装置がネットワーク装置から送信された第二のＤＣＩを検出することと、端末装置が第一のＤＣＩ及び第二のＤＣＩにおける制御情報を組み合わせ、ターゲットデータの送信又は受信を行うこととを含む。本発明の実施例では、第一のＤＣＩ及び第二のＤＣＩが異なるタイプの制御情報を搬送することができ、第一のＤＣＩと第二のＤＣＩを別々に伝送することにより、異なるタイプの制御情報の伝送ニーズを満たすことができ、異なるタイプの制御情報の伝送要求を満たしている前提で、異なるタイプの制御情報を端末装置に伝送することができ、それによって端末装置はターゲットデータの送信又は受信を行うことができる。
2019525517.tif 000002
【特許請求の範囲】
【請求項１】
無線ネットワークに基づく通信方法であって、
端末装置がネットワーク装置から送信された第一のダウンリンク制御情報（ＤＣＩ）を検出することと、
前記端末装置が前記ネットワーク装置から送信された第二のＤＣＩを検出することと、
前記端末装置が前記第一のＤＣＩ及び前記第二のＤＣＩにおける制御情報を組み合わせ、ターゲットデータの送信又は受信を行うこととを含む、前記通信方法。
【請求項２】
前記第一のＤＣＩと前記第二のＤＣＩが異なるＤＣＩフォーマットを有することを特徴とする
請求項１に記載の方法。
【請求項３】
前記第一のＤＣＩと前記第二のＤＣＩに含まれる情報長及び／又は情報内容が異なることを特徴とする
請求項１又は２に記載の方法。
【請求項４】
前記端末装置がネットワーク装置から送信された第一のＤＣＩを検出することは、
前記端末装置が前記ネットワーク装置から送信された前記第一のＤＣＩを第一のリソース周期で周期的に検出することを含み、
前記端末装置が前記ネットワーク装置から送信された第二のＤＣＩを検出することは、
前記端末装置が前記ネットワーク装置から送信された前記第二のＤＣＩを第二のリソース周期で周期的に検出することを含むことを特徴とする
請求項１−３のいずれか一項に記載の方法。
【請求項５】
前記第一のリソース周期と前記第二のリソース周期が信号を伝送するための時間領域リソース単位の整数倍であり、前記第一のリソース周期が前記第二のリソース周期より長いことを特徴とする
請求項４に記載の方法。
【請求項６】
前記端末装置が前記第一のＤＣＩ及び前記第二のＤＣＩにおける制御情報を組み合わせ、ターゲットデータの送信又は受信を行うことは、
前記端末装置が現在の第二のリソース周期内で検出された前記第二のＤＣＩ及び直近に検出された前記第一のＤＣＩにおける制御情報を組み合わせ、ターゲットデータの送信又は受信を行うことを含むことを特徴とする
請求項４又は５に記載の方法。
【請求項７】
前記方法はさらに、
前記端末装置が現在の第二のリソース周期内で前記第二のＤＣＩが検出されていない場合、前記端末装置がデータの送信又は受信を行わないことを含むことを特徴とする
請求項４又は５に記載の方法。
【請求項８】
前記端末装置がネットワーク装置から送信された第一のＤＣＩを検出することは、
前記端末装置が共通制御チャネルで前記第一のＤＣＩを検出すること、及び／又は、前記端末装置がセルの共通伝送パラメータに基づき、前記第一のＤＣＩを検出することを含むことを特徴とする
請求項１−７のいずれか一項に記載の方法。
【請求項９】
前記端末装置がネットワーク装置から送信された第二のＤＣＩを検出することは、
前記端末装置が共通制御チャネルで前記第二のＤＣＩを検出すること、又は、
前記端末装置がシステム帯域幅の部分の周波数領域リソースで前記第二のＤＣＩを検出することを含むことを特徴とする
請求項１−８のいずれか一項に記載の方法。
【請求項１０】
前記部分の周波数領域リソースは前記第一のＤＣＩによって示される周波数領域リソースであることを特徴とする
請求項９に記載の方法。
【請求項１１】
前記第二のＤＣＩを搬送する制御チャネルと前記ターゲットデータを搬送するデータチャネルが同じ時間領域リソース及び／又は周波数領域リソースを占有していることを特徴とする
請求項１−１０のいずれか一項に記載の方法。
【請求項１２】
前記第一のＤＣＩは、前記端末装置がターゲットデータの送信又は受信を行う時に使用される、
サブ搬送波間隔、
プリセット帯域幅におけるサブ搬送波の数、
物理リソースブロック（ＰＲＢ）に含まれるサブ搬送波の数、
直交周波数分割多重（ＯＦＤＭ）シンボル長、
フーリエ変換又は逆フーリエ変換によってＯＦＤＭ信号を生成するために使用されるポイントの数、
一つのＴＴＩに含まれるＯＦＤＭシンボルの数、
プリセット時間単位内に含まれるＴＴＩの数、
信号プレフィックス情報、
Ａ／Ｎフィードバック時間シーケンス情報、
物理リソース割り当てモード、
周波数ホッピング配置情報、
のうちの少なくとも一つを含むことを特徴とする
請求項１−１１のいずれか一項に記載の方法。
【請求項１３】
前記第二のＤＣＩは、前記端末装置がターゲットデータの送信又は受信を行う時に使用される、
物理リソース割り当て情報、
アップリンク送信電力制御情報、
Ａ／Ｎフィードバック時間シーケンス情報、
周波数ホッピング配置情報、
ハイブリッド自動再送リクエスト（ＨＡＲＱ）プロセス情報、
チャネル状態情報（ＣＳＩ）報告トリガ情報、
サウンディング基準信号（ＳＲＳ）伝送トリガ情報、
伝送ブロック伝送情報、
アップリンク復調基準信号（ＤＭＲＳ）配置情報、
ダウンリンクＤＭＲＳ配置情報のうちの少なくとも一つを含むことを特徴とする
請求項１−１２のいずれか一項に記載の方法。
【請求項１４】
無線ネットワークに基づく通信方法であって、
ネットワーク装置が端末装置へ第一のダウンリンク制御情報（ＤＣＩ）を送信することと、
前記ネットワーク装置が前記端末装置へ第二のＤＣＩを送信することを含み、ここで、前記第一のＤＣＩと前記第二のＤＣＩが前記端末装置のターゲットデータの送信又は受信に用いられる、前記通信方法。
【請求項１５】
前記第一のＤＣＩと前記第二のＤＣＩが異なるＤＣＩフォーマットを有することを特徴とする
請求項１４に記載の方法。
【請求項１６】
前記第一のＤＣＩと前記第二のＤＣＩに含まれる情報長及び／又は情報内容が異なることを特徴とする
請求項１４又は１５に記載の方法。
【請求項１７】
前記ネットワーク装置が端末装置へ第一のＤＣＩを送信することは、
前記ネットワーク装置が前記端末装置へ前記第一のＤＣＩを第一のリソース周期で周期的に送信することとを含み、
前記ネットワーク装置が前記端末装置へ第二のＤＣＩを送信することは、
前記ネットワーク装置が前記端末装置へ前記第二のＤＣＩを第二のリソース周期で周期的に送信することを含むことを特徴とする
請求項１４−１６のいずれか一項に記載の方法。
【請求項１８】
前記第一のリソース周期と前記第二のリソース周期が信号を伝送するための時間領域リソース単位の整数倍であり、前記第一のリソース周期が前記第二のリソース周期より長いことを特徴とする
請求項１７に記載の方法。
【請求項１９】
前記ネットワーク装置が端末装置へ第一のＤＣＩを送信することは、
前記ネットワーク装置が共通制御チャネルで前記第一のＤＣＩを送信すること、及び／又は、前記ネットワーク装置がセルの共通伝送パラメータに基づき、前記第一のＤＣＩを送信することを含むことを特徴とする
請求項１４−１８のいずれか一項に記載の方法。
【請求項２０】
前記ネットワーク装置が端末装置へ第二のＤＣＩを送信することは、
前記ネットワーク装置が共通制御チャネルで前記第二のＤＣＩを送信すること、又は
前記ネットワーク装置がシステム帯域幅の部分の周波数領域リソースで前記第二のＤＣＩを送信することを含むことを特徴とする
請求項１４−１９のいずれか一項に記載の方法。
【請求項２１】
前記部分の周波数領域リソースは前記第一のＤＣＩによって示される周波数領域リソースであることを特徴とする
請求項２０に記載の方法。
【請求項２２】
前記第二のＤＣＩを搬送する制御チャネルと前記ターゲットデータを搬送するデータチャネルが同じ時間領域リソース及び／又は周波数領域リソースを占有していることを特徴とする
請求項１４−２１のいずれか一項に記載の方法。
【請求項２３】
前記第一のＤＣＩは、前記端末装置がターゲットデータの送信又は受信を行う時に使用される、
サブ搬送波間隔、
プリセット帯域幅におけるサブ搬送波の数、
物理リソースブロックに含まれるサブ搬送波の数、
直交周波数分割多重（ＯＦＤＭ）シンボル長、
フーリエ変換又は逆フーリエ変換によってＯＦＤＭ信号を生成するために使用されるポイントの数、
一つのＴＴＩに含まれるＯＦＤＭシンボルの数、
プリセット時間単位内に含まれるＴＴＩの数、
信号プレフィックス情報、
Ａ／Ｎフィードバック時間シーケンス情報、
物理リソース割り当てモード、
周波数ホッピング配置情報のうちの少なくとも一つを含むことを特徴とする
請求項１４−２２のいずれか一項に記載の方法。
【請求項２４】
前記第二のＤＣＩは、前記端末装置がターゲットデータの送信又は受信を行う時に使用される、
物理リソース割り当て情報、
アップリンク送信電力制御情報、
Ａ／Ｎフィードバック時間シーケンス情報、
周波数ホッピング配置情報、
ハイブリッド自動再送リクエスト（ＨＡＲＱ）プロセス情報、
チャネル状態情報（ＣＳＩ）報告トリガ情報、
サウンディング基準信号（ＳＲＳ）伝送トリガ情報、
伝送ブロック伝送情報、
アップリンク復調基準信号（ＤＭＲＳ）配置情報、
ダウンリンクＤＭＲＳ配置情報のうちの少なくとも一つを含むことを特徴とする
請求項１４−２３のいずれか一項に記載の方法。
【請求項２５】
端末装置であって、
ネットワーク装置から送信された第一のダウンリンク制御情報（ＤＣＩ）を検出するように構成される第一の検出モジュールと、
前記ネットワーク装置から送信された第二のＤＣＩを検出するように構成される第二の検出モジュールと、
前記第一のＤＣＩ及び前記第二のＤＣＩにおける制御情報を組み合わせ、ターゲットデータの送信又は受信を行うように構成される処理モジュールとを備える、前記端末装置。
【請求項２６】
前記第一のＤＣＩと前記第二のＤＣＩが異なるＤＣＩフォーマットを有することを特徴とする
請求項２５に記載の端末装置。
【請求項２７】
前記第一のＤＣＩと前記第二のＤＣＩに含まれる情報長及び／又は情報内容が異なることを特徴とする
請求項２５又は２６に記載の端末装置。
【請求項２８】
前記第一の検出モジュールは具体的に、
前記ネットワーク装置から送信された前記第一のＤＣＩを第一のリソース周期で周期的に検出するように構成され、
前記第二の検出モジュールは具体的に、
前記ネットワーク装置から送信された前記第二のＤＣＩを第二のリソース周期で周期的に検出するように構成されることを特徴とする
請求項２５−２７のいずれか一項に記載の端末装置。
【請求項２９】
前記第一のリソース周期と前記第二のリソース周期が信号を伝送するための時間領域リソース単位の整数倍であり、前記第一のリソース周期が前記第二のリソース周期より長いことを特徴とする
請求項２８に記載の端末装置。
【請求項３０】
前記処理モジュールは具体的に、
現在の第二のリソース周期内で検出された前記第二のＤＣＩ及び直近に検出された前記第一のＤＣＩにおける制御情報を組み合わせ、ターゲットデータの送信又は受信を行うように構成されることを特徴とする
請求項２８又は２９に記載の端末装置。
【請求項３１】
前記処理モジュールはさらに、
前記第二の検出モジュールが現在の第二のリソース周期内で前記第二のＤＣＩが検出されていない場合、データの送信又は受信を行わないように構成されることを特徴とする
請求項２８又は２９に記載の端末装置。
【請求項３２】
前記第一の検出モジュールは具体的に、
共通制御チャネルで前記第一のＤＣＩを検出するように構成され、及び／又は、セルの共通伝送パラメータに基づき、前記第一のＤＣＩを検出するように構成されることを特徴とする
請求項２５−３１のいずれか一項に記載の端末装置。
【請求項３３】
前記第二の検出モジュールは具体的に、
共通制御チャネルで前記第二のＤＣＩを検出するように構成され、又は
システム帯域幅の部分の周波数領域リソースで前記第二のＤＣＩを検出するように構成されることを特徴とする
請求項２５−３２のいずれか一項に記載の端末装置。
【請求項３４】
前記部分の周波数領域リソースは前記第一のＤＣＩによって示される周波数領域リソースであることを特徴とする
請求項３３に記載の端末装置。
【請求項３５】
前記第二のＤＣＩを搬送する制御チャネルと前記ターゲットデータを搬送するデータチャネルが同じ時間領域リソース及び／又は周波数領域リソースを占有していることを特徴とする
請求項２５−３４のいずれか一項に記載の端末装置。
【請求項３６】
前記第一のＤＣＩは、前記処理モジュールがターゲットデータの送信又は受信を行う時に使用される、
サブ搬送波間隔、
プリセット帯域幅におけるサブ搬送波の数、
物理リソースブロックに含まれるサブ搬送波の数、
直交周波数分割多重（ＯＦＤＭ）シンボル長、
フーリエ変換又は逆フーリエ変換によってＯＦＤＭ信号を生成するために使用されるポイントの数、
一つのＴＴＩに含まれるＯＦＤＭシンボルの数、
プリセット時間単位内に含まれるＴＴＩの数、
信号プレフィックス情報、
Ａ／Ｎフィードバック時間シーケンス情報、
物理リソース割り当てモード、
周波数ホッピング配置情報のうちの少なくとも一つを含むことを特徴とする
請求項２５−３５のいずれか一項に記載の端末装置。
【請求項３７】
前記第二のＤＣＩは、前記処理モジュールがターゲットデータの送信又は受信を行う時に使用される、
物理リソース割り当て情報、
アップリンク送信電力制御情報、
Ａ／Ｎフィードバック時間シーケンス情報、
周波数ホッピング配置情報、
ハイブリッド自動再送リクエスト（ＨＡＲＱ）プロセス情報、
チャネル状態情報（ＣＳＩ）報告トリガ情報、
サウンディング基準信号（ＳＲＳ）伝送トリガ情報、
伝送ブロック伝送情報、
アップリンク復調基準信号（ＤＭＲＳ）配置情報、
ダウンリンクＤＭＲＳ配置情報のうちの少なくとも一つを含むことを特徴とする
請求項２５−３６のいずれか一項に記載の端末装置。
【請求項３８】
ネットワーク装置であって、
端末装置へ第一のダウンリンク制御情報（ＤＣＩ）を送信するように構成される第一の送信モジュールと、
前記端末装置へ第二のＤＣＩを送信するように構成され、ここで、前記第一のＤＣＩと前記第二のＤＣＩが前記端末装置のターゲットデータの送信又は受信に用いられる第二の送信モジュールとを備える、前記ネットワーク装置。
【請求項３９】
前記第一のＤＣＩと前記第二のＤＣＩが異なるＤＣＩフォーマットを有することを特徴とする
請求項３８に記載のネットワーク装置。
【請求項４０】
前記第一のＤＣＩと前記第二のＤＣＩに含まれる情報長及び／又は情報内容が異なることを特徴とする
請求項３８又は３９に記載のネットワーク装置。
【請求項４１】
前記第一の送信モジュールは具体的に、
前記端末装置へ前記第一のＤＣＩを第一のリソース周期で周期的に送信するように構成され、
前記第二の送信モジュールは具体的に、
前記端末装置へ前記第二のＤＣＩを第二のリソース周期で周期的に送信するように構成されることを特徴とする
請求項３８−４０のいずれか一項に記載のネットワーク装置。
【請求項４２】
前記第一のリソース周期と前記第二のリソース周期が信号を伝送するための時間領域リソース単位の整数倍であり、前記第一のリソース周期が前記第二のリソース周期より長いことを特徴とする
請求項４１に記載のネットワーク装置。
【請求項４３】
前記第一の送信モジュールは具体的に、
共通制御チャネルで前記第一のＤＣＩを送信するように構成され、及び／又は、セルの共通伝送パラメータに基づき、前記第一のＤＣＩを送信するように構成されることを特徴とする
請求項３８−４２のいずれか一項に記載のネットワーク装置。
【請求項４４】
前記第二の送信モジュールは具体的に、
共通制御チャネルで前記第二のＤＣＩを送信するように構成され、又は
システム帯域幅の部分の周波数領域リソースで前記第二のＤＣＩを送信するように構成されることを特徴とする
請求項３８−４３のいずれか一項に記載のネットワーク装置。
【請求項４５】
前記部分の周波数領域リソースは前記第一のＤＣＩによって示される周波数領域リソースであることを特徴とする
請求項４４に記載のネットワーク装置。
【請求項４６】
前記第二のＤＣＩを搬送する制御チャネルと前記ターゲットデータを搬送するデータチャネルが同じ時間領域リソース又は周波数領域リソースを占有していることを特徴とする
請求項３８−４５のいずれか一項に記載のネットワーク装置。
【請求項４７】
前記第一のＤＣＩは、前記処理モジュールがターゲットデータの送信又は受信を行う時に使用される、
サブ搬送波間隔、
プリセット帯域幅におけるサブ搬送波の数、
物理リソースブロックに含まれるサブ搬送波の数、
直交周波数分割多重（ＯＦＤＭ）シンボル長、
フーリエ変換又は逆フーリエ変換によってＯＦＤＭ信号を生成するために使用されるポイントの数、
一つのＴＴＩに含まれるＯＦＤＭシンボルの数、
プリセット時間単位内に含まれるＴＴＩの数、
信号プレフィックス情報、
Ａ／Ｎフィードバック時間シーケンス情報、
物理リソース割り当てモード、
周波数ホッピング配置情報のうちの少なくとも一つを含むことを特徴とする
請求項３８−４６のいずれか一項に記載のネットワーク装置。
【請求項４８】
前記第二のＤＣＩは、前記処理モジュールがターゲットデータの送信又は受信を行う時に使用される、
物理リソース割り当て情報、
アップリンク送信電力制御情報、
Ａ／Ｎフィードバック時間シーケンス情報、
周波数ホッピング配置情報、
ハイブリッド自動再送リクエスト（ＨＡＲＱ）プロセス情報、
チャネル状態情報（ＣＳＩ）報告トリガ情報、
サウンディング基準信号（ＳＲＳ）伝送トリガ情報、
伝送ブロック伝送情報、
アップリンク復調基準信号（ＤＭＲＳ）配置情報、
ダウンリンクＤＭＲＳ配置情報のうちの少なくとも一つを含むことを特徴とする
請求項３８−４７のいずれか一項に記載のネットワーク装置。
【発明の詳細な説明】
【技術分野】
【０００１】
本発明は通信分野に関し、特に無線ネットワークに基づく通信方法、端末装置とネットワーク装置に関する。
【背景技術】
【０００２】
従来のネットワークアーキテクチャでは、ネットワーク装置側装置は共通制御チャネルを介して端末装置へダウンリンク制御情報（ＤＣＩ：Ｄｏｗｎｌｉｎｋ  Ｃｏｎｔｒｏｌ  Ｉｎｆｏｒｍａｔｉｏｎ）を送信し、端末装置は、それ自体の伝送モード及び該伝送モードにおいてネットワーク装置側装置に使用される可能性があるＤＣＩフォーマットに基づいてＤＣＩブラインド検出を行い、該端末装置に対応する一つのＤＣＩを取得し、次に端末装置は該ＤＣＩにおける制御情報に基づいてデータチャネルに対して対応する操作を行う。将来の５Ｇネットワークアーキテクチャでは、ＤＣＩに含まれる制御情報の種類が多く、異なるタイプの制御情報の伝送要求が異なる可能性があり、従来のネットワークアーキテクチャに従ってＤＣＩを伝送する方法の場合、即ち一つのＤＣＩで端末装置の様々な制御情報を伝送する場合、異なるタイプの制御情報の伝送要求を満たすことが困難である。したがって、制御情報の種類が多く且つ異なる種類の制御情報の伝送要求が異なる場合、異なるタイプの制御情報の伝送要求を満たす前提で、どのように最小の制御シグナリングオーバーヘッドで制御情報を端末装置に伝送するかは解決すべき問題である。
【発明の概要】
【発明が解決しようとする課題】
【０００３】
本出願は異なるタイプの制御情報の伝送要求を満たし、シグナリングオーバーヘッドを低減するように、無線ネットワークに基づく通信方法、端末装置とネットワーク装置を提供する。
【課題を解決するための手段】
【０００４】
第一の態様による無線ネットワークに基づく通信方法は、端末装置がネットワーク装置から送信された第一のダウンリンク制御情報（ＤＣＩ）を検出することと、前記端末装置が前記ネットワーク装置から送信された第二のＤＣＩを検出することと、前記端末装置が前記第一のＤＣＩ及び前記第二のＤＣＩにおける制御情報を組み合わせ、ターゲットデータの送信又は受信を行うこととを含む。
【０００５】
上記の第一のＤＣＩと第二のＤＣＩは異なるタイプの制御情報を含むことができる。
【０００６】
二つのＤＣＩで異なるタイプの制御情報を送信することができ、これにより異なるタイプの制御情報の伝送要求を満たすことができ、それによって端末装置は二つのＤＣＩにおける制御情報に基づいてターゲットデータの送信又は受信を行い、また、異なるタイプの制御情報の伝送周期要求が異なる場合、二つのＤＣＩで異なるタイプの制御情報を搬送することにより、制御情報の送信周期を合理的に確定することができ、それによって一定のシグナリングオーバーヘッドを節約する。
【０００７】
第一の態様と組み合わせ、第一の態様のいくつかの実施形態では、前記第一ＤＣＩと前記第二のＤＣＩが異なるＤＣＩフォーマットを有する。
【０００８】
第一の態様と組み合わせ、第一の態様のいくつかの実施形態では、前記第一のＤＣＩと前記第二のＤＣＩに含まれる情報長及び／又は情報内容が異なる。
【０００９】
第一の態様と組み合わせ、第一の態様のいくつかの実施形態では、前記端末装置がネットワーク装置から送信された第一のＤＣＩを検出することは、前記端末装置が前記ネットワーク装置から送信された前記第一のＤＣＩを第一のリソース周期で周期的に検出することを含み、前記端末装置が前記ネットワーク装置から送信された第二のＤＣＩを検出することは、前記端末装置が前記ネットワーク装置から送信された前記第二のＤＣＩを第二のリソース周期で周期的に検出することを含む。
【００１０】
第一の態様と組み合わせ、第一の態様のいくつかの実施形態では、前記第一のリソース周期と前記第二のリソース周期が信号を伝送するための時間領域リソース単位の整数倍であり、前記第一のリソース周期が前記第二のリソース周期より長い。
【００１１】
理解すべきものとして、前記第一のリソース周期が第二のリソース周期以下であってもよい。
【００１２】
第一の態様と組み合わせ、第一の態様のいくつかの実施形態では、前記端末装置が前記第一のＤＣＩ及び前記第二のＤＣＩにおける制御情報に基づき、ターゲットデータの送信又は受信を行うことは、
前記端末装置が現在の第二のリソース周期内で検出された前記第二のＤＣＩ及び直近に検出された前記第一のＤＣＩにおける制御情報を組み合わせ、ターゲットデータの送信又は受信を行うことを含む。
【００１３】
上記第一のリソース周期が第二のリソース周期未満である場合、端末装置は現在の第一のリソース周期内で検出された前記第一のＤＣＩ及び直近に検出された前記第二のＤＣＩにおける制御情報を組み合わせ、ターゲットデータの送信又は受信を行うことができる。
【００１４】
第一の態様と組み合わせ、第一の態様のいくつかの実施形態では、前記方法はさらに、前記端末装置が現在の第二のリソース周期内で前記第二のＤＣＩが検出されていない場合、前記端末装置がデータの送信又は受信を行わないことを含む。
【００１５】
第一の態様と組み合わせ、第一の態様のいくつかの実施形態では、前記端末装置がネットワーク装置から送信された第一のＤＣＩを検出することは、前記端末装置が共通制御チャネルで前記第一のＤＣＩを検出すること、及び／又は、前記端末装置がセルの共通伝送パラメータに基づき、前記第一のＤＣＩを検出することを含む。
【００１６】
第一の態様と組み合わせ、第一の態様のいくつかの実施形態では、前記端末装置がネットワーク装置から送信された第二のＤＣＩを検出することは、前記端末装置が共通制御チャネルで前記第二のＤＣＩを検出すること、又は、前記端末装置がシステム帯域幅の部分の周波数領域リソースで前記第二のＤＣＩを検出することを含む。
【００１７】
第一の態様と組み合わせ、第一の態様のいくつかの実施形態では、前記部分の周波数領域リソースは前記第一のＤＣＩによって示される周波数領域リソースである。
【００１８】
第一の態様と組み合わせ、第一の態様のいくつかの実施形態では、前記第二のＤＣＩを搬送する制御チャネルと前記ターゲットデータを搬送するデータチャネルが同じ時間領域リソース及び／又は周波数領域リソースを占有している。
【００１９】
第一の態様と組み合わせ、第一の態様のいくつかの実施形態では、前記第一のＤＣＩは、前記端末装置がターゲットデータの送信又は受信を行う時に使用される
サブ搬送波間隔、
プリセット帯域幅におけるサブ搬送波の数、
物理リソースブロック（ＰＲＢ）に含まれるサブ搬送波の数、
直交周波数分割多重（ＯＦＤＭ）シンボル長、
フーリエ変換又は逆フーリエ変換によってＯＦＤＭ信号を生成するために使用されるポイントの数、
一つのＴＴＩに含まれるＯＦＤＭシンボルの数、
プリセット時間単位内に含まれるＴＴＩの数、
信号プレフィックス情報、
Ａ／Ｎフィードバック時間シーケンス情報、
物理リソース割り当てモード、
周波数ホッピング配置情報のうちの少なくとも一つを含む。
【００２０】
第一の態様と組み合わせ、第一の態様のいくつかの実施形態では、前記第二のＤＣＩは、前記端末装置がターゲットデータの送信又は受信を行う時に使用される
物理リソース割り当て情報、
アップリンク送信電力制御情報、
Ａ／Ｎフィードバック時間シーケンス情報、
周波数ホッピング配置情報、
ハイブリッド自動再送リクエスト（ＨＡＲＱ）プロセス情報、
チャネル状態情報（ＣＳＩ）報告トリガ情報、
サウンディング基準信号（ＳＲＳ）伝送トリガ情報、
伝送ブロック伝送情報、
アップリンク復調基準信号（ＤＭＲＳ）配置情報、
ダウンリンクＤＭＲＳ配置情報のうちの少なくとも一つを含む。
【００２１】
第二の態様による無線ネットワークに基づく通信方法は、ネットワーク装置が端末装置へ第一のダウンリンク制御情報（ＤＣＩ）を送信することと、前記ネットワーク装置が前記端末装置へ第二のＤＣＩを送信することを含み、ここで、前記第一のＤＣＩと前記第二のＤＣＩが前記端末装置のターゲットデータの送信又は受信に用いられる。
【００２２】
二つのＤＣＩで異なるタイプの制御情報を送信することができ、これにより異なるタイプの制御情報の伝送要求を満たすことができ、それによって端末装置は二つのＤＣＩにおける制御情報に基づいてターゲットデータの送信又は受信を行い、また、異なるタイプの制御情報の伝送周期要求が異なる場合、二つのＤＣＩで異なるタイプの制御情報を搬送することにより、制御情報の送信周期を合理的に確定することができ、それによって一定のシグナリングオーバーヘッドを節約する。
【００２３】
第二の態様と組み合わせ、第二の態様のいくつかの実施形態では、前記第一ＤＣＩと前記第二のＤＣＩが異なるＤＣＩフォーマットを有する。
【００２４】
第二の態様と組み合わせ、第二の態様のいくつかの実施形態では、前記第一のＤＣＩと前記第二のＤＣＩに含まれる情報長及び／又は情報内容が異なる。
【００２５】
第二の態様と組み合わせ、第二の態様のいくつかの実施形態では、前記ネットワーク装置が端末装置へ第一のＤＣＩを送信することは、前記ネットワーク装置が前記端末装置へ前記第一のＤＣＩを第一のリソース周期で周期的に送信することとを含み、前記ネットワーク装置が前記端末装置へ第二のＤＣＩを送信することは、前記ネットワーク装置が前記端末装置へ前記第二のＤＣＩを第二のリソース周期で周期的に送信することを含む。
【００２６】
第二の態様と組み合わせ、第二の態様のいくつかの実施形態では、前記第一のリソース周期と前記第二のリソース周期が信号を伝送するための時間領域リソース単位の整数倍であり、前記第一のリソース周期が前記第二のリソース周期より長い。
【００２７】
第二の態様と組み合わせ、第二の態様のいくつかの実施形態では、前記ネットワーク装置が端末装置へ第一のＤＣＩを送信することは、前記ネットワーク装置が共通制御チャネルで前記第一のＤＣＩを送信すること、及び／又は、前記ネットワーク装置がセルの共通伝送パラメータに基づき、前記第一のＤＣＩを送信することを含む。
【００２８】
第二の態様と組み合わせ、第二の態様のいくつかの実施形態では、前記ネットワーク装置が端末装置へ第二のＤＣＩを送信することは、前記ネットワーク装置が共通制御チャネルで前記第二のＤＣＩを送信すること、又は、前記ネットワーク装置がシステム帯域幅の部分の周波数領域リソースで前記第二のＤＣＩを送信することを含む。
【００２９】
第二の態様と組み合わせ、第二の態様のいくつかの実施形態では、前記部分の周波数領域リソースは前記第一のＤＣＩによって示される周波数領域リソースである。
【００３０】
第二の態様と組み合わせ、第二の態様のいくつかの実施形態では、前記第二のＤＣＩを搬送する制御チャネルと前記ターゲットデータを搬送するデータチャネルが同じ時間領域リソース及び／又は周波数領域リソースを占有している。
【００３１】
第二の態様と組み合わせ、第二の態様のいくつかの実施形態では、前記第一のＤＣＩは、前記端末装置がターゲットデータの送信又は受信を行う時に使用される、
サブ搬送波間隔、
プリセット帯域幅におけるサブ搬送波の数、
物理リソースブロックに含まれるサブ搬送波の数、
直交周波数分割多重（ＯＦＤＭ）シンボル長、
フーリエ変換又は逆フーリエ変換によってＯＦＤＭ信号を生成するために使用されるポイントの数、
一つのＴＴＩに含まれるＯＦＤＭシンボルの数、
プリセット時間単位内に含まれるＴＴＩの数、
信号プレフィックス情報、
Ａ／Ｎフィードバック時間シーケンス情報、
物理リソース割り当てモード、
周波数ホッピング配置情報のうちの少なくとも一つを含む。
【００３２】
第二の態様と組み合わせ、第二の態様のいくつかの実施形態では、前記第二のＤＣＩは、前記端末装置がターゲットデータの送信又は受信を行う時に使用される、
物理リソース割り当て情報、
アップリンク送信電力制御情報、
Ａ／Ｎフィードバック時間シーケンス情報、
周波数ホッピング配置情報、
ハイブリッド自動再送リクエスト（ＨＡＲＱ）プロセス情報、
チャネル状態情報（ＣＳＩ）報告トリガ情報、
サウンディング基準信号（ＳＲＳ）伝送トリガ情報、
伝送ブロック伝送情報、
アップリンク復調基準信号（ＤＭＲＳ）配置情報、
ダウンリンクＤＭＲＳ配置情報のうちの少なくとも一つを含む。
【００３３】
第三の態様による端末装置は、第一の態様における方法を実行するためのモジュールを備える。
【００３４】
第四の態様による端末装置は、第二の態様における方法を実行するためのモジュールを備える。
【００３５】
第五の態様による端末装置は、メモリ、送受信機とプロセッサを備え、前記メモリがプログラムを記憶し、前記プロセッサがプログラムを実行することに用いられ、前記プログラムが実行される場合、前記プロセッサが前記送受信機に基づいて前記第一の態様における方法を実行する。
【００３６】
第六の態様による端末装置は、メモリと送受信機を備え、前記メモリがプログラムを記憶することに用いられ、前記プログラムが実行される場合、前記送受信機が前記第二の態様における方法を実行することに用いられる。
【００３７】
第七の態様によるコンピュータ可読媒体は、端末装置で実行されるためのプログラムコードを記憶し、前記プログラムコードが第一の態様における方法を実行するための命令を含む。
【００３８】
第八の態様によるコンピュータ可読媒体は、ネットワーク装置で実行されるためのプログラムコードを記憶し、前記プログラムコードが第二の態様における方法を実行するための命令を含む。
【図面の簡単な説明】
【００３９】
【図１】本発明の実施例による無線ネットワークに基づく通信方法の概略フローチャートである。
【図２】本発明の実施例による無線ネットワークに基づく通信方法の概略フローチャートである。
【図３】本発明の実施例による無線ネットワークに基づく通信方法の概略フローチャートである。
【図４】本発明の実施例による無線ネットワークに基づく通信方法の概略フローチャートである。
【図５】本発明の実施例による端末装置の概略構造図である。
【図６】本発明の実施例によるネットワーク装置の概略構造図である。
【図７】本発明の実施例による端末装置の概略構造図である。
【図８】本発明の実施例によるネットワーク装置の概略構造図である。
【発明を実施するための形態】
【００４０】
本発明の実施例の技術的解決策をより明確に説明するために、以下に本発明の実施例に必要な図面を簡単に説明し、明らかに、以下に記載される図面が本発明のくつかの実施例だけであり、当業者であれば、創造的な労力を要することなく、これらの図面に基づいて他の図面を得ることができる。
【００４１】
理解すべきものとして、本発明の実施例の技術的解決策は、様々な通信システム、例えばグローバルモバイル通信（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎ）システム、符号分割多元アクセス（ＣＤＭＡ：Ｃｏｄｅ  Ｄｉｖｉｓｉｏｎ  Ｍｕｌｔｉｐｌｅ  Ａｃｃｅｓｓ）システム、帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、長期進化型（ＬＴＥ：Ｌｏｎｇ  Ｔｅｒｍ  Ｅｖｏｌｕｔｉｏｎ）システム、ユニバーサル移動体通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）などの現在の通信システムに応用されてもよく、特に将来の第５世代移動通信技術（５Ｇ）システムに応用されてもよい。
【００４２】
本発明の実施例における端末装置は、ユーザ機器（ＵＥ：Ｕｓｅｒ  Ｅｑｕｉｐｍｅｎｔ）、アクセス端末、加入者ユニット、加入者局、移動局、移動サイト、遠隔局、遠隔端末、モバイル装置、ユーザ端末、端末、無線通信装置、ユーザエージェント又はユーザ装置であってもよい。アクセス端末装置は、セルラ電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有しているハンドヘルドデバイス、コンピューティングデバイス又は無線モデムに接続された他の処理デバイス、車載デバイス、ウェアラブルデバイス、将来の５Ｇネットワークにおける端末装置又は将来の進化した衆陸上移動通信ネットワーク（ＰＬＭＮ：Ｐｕｂｌｉｃ  Ｌａｎｄ  Ｍｏｂｉｌｅ  Ｎｅｔｗｏｒｋ）における端末装置などであってもよく、本発明の実施例はこれに限定されない。
【００４３】
本発明の実施例におけるネットワーク装置は端末装置と通信するための装置であっても良く、該ネットワーク装置はＧＳＭ又はＣＤＭＡにおける基地局（ＢＴＳ：Ｂａｓｅ  Ｔｒａｎｓｃｅｉｖｅｒ  Ｓｔａｔｉｏｎ）であってもよいし、ＷＣＤＭＡシステムにおける基地局（ＮＢ：ＮｏｄｅＢ）であってもよいし、ＬＴＥシステムにおける進化型基地局（ｅＮＢ又はｅＮｏｄｅＢ：Ｅｖｏｌｕｔｉｏｎａｌ  Ｎｏｄｅ  Ｂ）であってもよいし、クラウドワイヤレスアクセスネットワーク（ＣＲＡＮ：Ｃｌｏｕｄ  Ｒａｄｉｏ  Ａｃｃｅｓｓ  Ｎｅｔｗｏｒｋ）シーンにおける無線コントローラであってもよく、又は該ネットワーク装置は中継局、アクセスポイント、車載デバイス、ウェアラブルデバイス及び将来の５Ｇネットワークにおけるネットワーク装置又は将来の進化したＰＬＭＮネットワークにおけるネットワーク装置などであってもよく、本発明の実施例はこれに限定されない。
【００４４】
５Ｇシステムでは、端末装置は、一つの搬送波内で複数の異なる基礎パラメータセット（ｎｕｍｅｒｏｌｏｇｙ）をサポートすることができる。これらの異なる基礎パラメータセットは時分割多重（ＴＤＭ：Ｔｉｍｅ  Ｄｉｖｉｓｉｏｎ  Ｍｕｌｔｉｐｌｅｘ）又は周波数分割多重（ＦＤＭ：Ｆｒｅｑｕｅｎｃｙ  Ｄｉｖｉｓｉｏｎ  Ｍｕｌｔｉｐｌｅｘ）によって多重化されてもよい。ここで、異なる基礎パラメータセットを使用し且つＦＤＭ多重化を実行するデータ伝送は一つの共通制御チャネル（例えば物理ダウンリンク制御チャネル）で伝送される制御情報に基づいてスケジューリングされてもよく、独立した制御チャネル（例えばユーザー専用の制御チャネル）で伝送される制御情報に基づいてスケジューリングされてもよく、また、端末装置が具体的にどの基礎パラメータセットを使用するかは制御情報によって端末装置に示されてもよい。即ち、将来の５Ｇシステムでは、異なるタイプの制御情報により、対応するサービスを実行するように端末装置に指示することができ、制御情報の種類が増加するため、どのように異なるタイプの制御情報の伝送要求を満たしている前提で、できるだけ少ないシグナリングオーバーヘッドで制御情報を端末装置に伝送するかは解決すべき問題である。本発明の実施例による無線ネットワークに基づく通信方法では、ネットワーク装置が端末装置へ複数のダウンリンク制御情報（ＤＣＩ：Ｄｏｗｎｌｉｎｋ  Ｃｏｎｔｒｏｌ  Ｉｎｆｏｒｍａｔｉｏｎ）を送信することにより、異なるＤＣＩに異なるタイプの制御情報を含ませることが可能であり、異なるＤＣＩを別々に伝送することにより、異なるタイプの制御情報の伝送要求を満たしている前提で、異なるタイプの制御情報を端末装置に伝送することができ、それによって端末装置はデータチャネルで、受信された制御情報に基づいてターゲットデータの送信又は受信を行うことができる。以下に図１−図４を参照しながら本発明の実施例による無線ネットワークに基づく通信方法を詳細に説明する。
【００４５】
図１は本発明の実施例による無線ネットワークに基づく通信方法の概略フローチャートである。図１における方法は、１１０〜１３０を含む。
【００４６】
１１０において、端末装置はネットワーク装置から送信された第一のＤＣＩを検出する。
【００４７】
上記の第一のＤＣＩに使用される可能性があるＤＣＩフォーマットが複数である場合、端末装置は、第一のＤＣＩがあるＤＣＩフォーマットに基づいて検出されるまで各ＤＣＩフォーマットに基づいてそれぞれＤＣＩの検出を行う必要があり、第一のＤＣＩが検出された後に、端末装置は第一のＤＣＩに含まれる制御情報を取得することができる。
【００４８】
１２０において、端末装置はネットワーク装置から送信された第二のＤＣＩを検出する。
【００４９】
第一のＤＣＩの検出と同様に、上記第二のＤＣＩに使用される可能性があるＤＣＩフォーマットも複数である場合、端末装置は、第二のＤＣＩがあるＤＣＩフォーマットに基づいて検出されるまで各ＤＣＩフォーマットに基づいてそれぞれＤＣＩの検出を行う必要もあり、第二のＤＣＩが検出された後に、端末装置は第二のＤＣＩに含まれる制御情報を取得することができる。
【００５０】
いくつかの実施例では、上記の第一のＤＣＩと第二のＤＣＩが異なるタイプの制御情報を含むことができ、このようにして制御情報の伝送要求に応じてそれぞれ第一のＤＣＩと第二のＤＣＩを使用して異なるタイプの制御情報を搬送することができ、それによって異なるタイプの制御情報の伝送要求を満たす。
【００５１】
いくつかの実施例では、上記の第一のＤＣＩと第二のＤＣＩが異なるＤＣＩフォーマットを有することができ、例えば、第一のＤＣＩのＤＣＩフォーマットがＤＣＩ１であり、それに対して第二のＤＣＩのＤＣＩフォーマットがＤＣＩ１Ａであり、当然、上記の第一のＤＣＩと第二のＤＣＩが同じＤＣＩフォーマットを有することもできる。
【００５２】
いくつかの実施例では、上記の第一のＤＣＩと第二のＤＣＩのフォーマットが異なることは、第一のＤＣＩと第二のＤＣＩに含まれる情報長及び／又は情報内容が異なることであってもよい。ここで、情報長が異なることは、ＤＣＩに含まれる制御情報の総ビット数が異なることを意味し、情報内容が異なることは、ＤＣＩに含まれる制御情報ドメインが異なること、又はＤＣＩにおける各制御ドメインに示される内容が異なることを意味する。
【００５３】
理解すべきものとして、ネットワーク装置がさらに端末装置へ第三のＤＣＩを送信することができ、これにより、端末装置は第一のＤＣＩ、第二のＤＣＩ及び第三のＤＣＩにおける制御情報に基づいてターゲットデータの送信又は受信を共同で行う。実際には、ネットワーク装置は端末装置へ複数のＤＣＩを送信することができ、これにより、端末装置は受信された複数のＤＣＩに基づいてターゲットデータの送信又は受信を行い、本発明の実施例ではネットワーク装置から送信されたＤＣＩの数が限定されない。
【００５４】
１３０において、端末装置は上記の第一のＤＣＩ及び第二のＤＣＩにおける制御情報を組み合わせ、ターゲットデータの送信又は受信を行う。
【００５５】
本発明の実施例では、二つのＤＣＩで異なるタイプの制御情報を送信することができ、これにより異なるタイプの制御情報の伝送要求を満たすことができ、それによって端末装置は二つのＤＣＩにおける制御情報に基づいてターゲットデータの送信又は受信を行い、また、異なるタイプの制御情報の伝送周期要求が異なる場合、二つのＤＣＩで異なるタイプの制御情報を搬送することにより、制御情報の送信周期を合理的に確定することができ、それによって一定のシグナリングオーバーヘッドを節約する。
【００５６】
具体的には、端末装置は、第一のＤＣＩと第二のＤＣＩから取得されたターゲット制御情報に基づき、データチャネルでターゲットデータの送信又は受信を行うことができ、理解すべきものとして、ここでのターゲット制御情報が第一のＤＣＩにおける制御情報と第二のＤＣＩにおける制御情報を含み、即ち端末装置は第一のＤＣＩ及び第二のＤＣＩにおける制御情報に基づいてターゲットデータの送信又は受信を一回行う。端末装置が次回に第一のＤＣＩと第二のＤＣＩを取得する場合、端末装置はターゲットデータの送信又は受信を再度行うことができる。
【００５７】
第一のＤＣＩと第二のＤＣＩがアップリンクデータの伝送を行うように端末装置に指示する制御情報を含む場合、端末装置は第一のＤＣＩと第二のＤＣＩを受信した後にアップリンクデータの伝送を行い、第一のＤＣＩと第二のＤＣＩがダウンリンクチャネルにおけるデータを受信するように端末装置に指示する制御情報を含む場合、端末装置は第一のＤＣＩと第二のＤＣＩを受信した後にデータチャネルを検出し、ダウンリンクデータを取得する。
【００５８】
選択可能に、一つの実施例として、端末装置は第一のＤＣＩと第二のＤＣＩを検出する時に周期的に検出することができる。具体的には、端末装置はネットワーク装置から送信された第一のＤＣＩを第一のリソース周期で周期的に検出し、ネットワーク装置から送信された第二のＤＣＩを第二のリソース周期で周期的に検出することができる。ネットワーク装置は周期的な時間領域リソースで端末装置へＤＣＩを送信することができ、具体的には、ネットワーク装置は端末装置へ第一のＤＣＩと第二のＤＣＩをそれぞれ第一のリソース周期と第二のリソース周期で送信することができ、端末装置は第一のＤＣＩと第二のＤＣＩを対応するリソース周期でそれぞれ検出することもできる。理解すべきものとして、端末装置はダウンリンク伝送リソースのみで周期的に検出することができ、全ての物理リソースで周期的に検出することもできる。即ち、前記第一のリソース周期と第二のリソース周期はダウンリンク伝送リソース（例えばダウンリンクサブフレーム）に対するリソース周期であってもよく、例えば端末装置はいくつかのダウンリンクサブフレームごとに一回検出し、また全てのアップリンク及びダウンリンク伝送リソースに対するリソース周期であってもよく、例えば端末装置はいくつかのサブフレームごとに一回検出し、そして該サブフレームは配置によりダウンリンクサブフレームであることが保証され得る。
【００５９】
選択可能に、一つの実施例として、上記の第一のリソース周期と第二のリソース周期は信号を伝送するための時間領域リソース単位の整数倍であってもよい。信号を伝送するための上記時間領域リソース単位はサブフレーム、無線フレーム、伝送時間間隔（ＴＴＩ：Ｔｒａｎｓｍｉｓｓｉｏｎ  Ｔｉｍｅ  Ｉｎｔｅｒｖａｌ）及び直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘ）シンボル及び無線フレームのうちのいずれかの一つであってもよい。
【００６０】
上記の第一のリソース周期が第二のリソース周期より長い場合、いくつかの時間に伴う変化が小さい基礎制御情報は第一のＤＣＩに含まれてもよく、時間に伴う変化が大きい基礎制御情報（例えば物理リソース割り当て情報）は第二のＤＣＩに含まれてもよく、即ちネットワーク装置は第一のＤＣＩを送信する時に一つの長い送信周期を使用することができ、第二のＤＣＩを送信する時に一つの短い送信周期を使用することができ、このようにして異なる周期で第一のＤＣＩと第二のＤＣＩを送信することにより、一定のシグナリングオーバーヘッドを節約することができる。
【００６１】
理解すべきものとして、ネットワーク装置と端末装置の間のデータ伝送のニーズに応じて、第一のリソース周期を第二のリソース周期と同じく設定し、又は第一のリソース周期を第二のリソース周期より短く設定することができ、第一のリソース周期が第二のリソース周期未満である場合、第二のＤＣＩにいくつかの時間に伴う変化が少ない基礎制御情報を含ませ、第一のＤＣＩに時間に伴う変化が大きい基礎制御情報を含ませることが可能である。
【００６２】
選択可能に、一つの実施例として、端末装置が第一のＤＣＩと第二のＤＣＩを第一のリソース周期と第二のリソース周期でそれぞれ検出する場合、端末装置は現在の第二のリソース周期内で検出された第二のＤＣＩ及び直近に検出された第一のＤＣＩにおける制御情報を組み合わせ、ターゲットデータの送信又は受信を共同で行うことができる。第一のリソース周期が第二のリソース周期より長く、第一のＤＣＩにいくつかの基礎パラメータ情報を含ませることが可能であり、これらの基礎パラメータ情報の時間に伴う変化が小さいため、異なる周期を使用して第一のＤＣＩと第二のＤＣＩを送信することにより、一定のシグナリングオーバーヘッドを節約でき、且つデータの送信又は受信をより柔軟にすることができる。
【００６３】
選択可能に、一つの実施例として、端末装置が現在の第二のリソース周期内で第二のＤＣＩが検出されていない場合、端末装置はターゲットデータの送信又は受信を行わなくてもよい。理解すべきものとして、端末装置が第一のＤＣＩ又は第二のＤＣＩが検出されていない場合、ネットワーク装置が第一のＤＣＩ又は第二のＤＣＩを送信していないことである可能性があり、もしくはネットワーク装置が既に第一のＤＣＩと第二のＤＣＩを送信したが、端末装置が所定の時間内で第一のＤＣＩ又は第二のＤＣＩが検出されていないことである可能性がある。理解すべきものとして、ネットワーク装置が第一のＤＣＩ又は第二のＤＣＩを送信していない場合、ネットワークデバイス側がデータ送信又は受信に対応するプロセスを実行しないことであってもよい。
【００６４】
選択可能に、一つの実施例として、ネットワーク装置が共通制御チャネルで端末装置へ第一のＤＣＩを送信する場合、端末装置は該共通制御チャネルで第一のＤＣＩを検出することができ、ここでの共通制御チャネルは物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）であってもよい。また、端末装置はセルの共通伝送パラメータに基づいて第一のＤＣＩを検出することもでき、該セルの共通伝送パラメータが制御チャネルに占有された物理リソース、リソース割り当てモード、情報スクランブルモード及びチェックモードなどを含むことができ、また、セルの共通伝送パラメータが一つのセルのユーザ全員にとって知られるものであり、即ちこれらの共通伝送パラメータがセルに専用されるものであり、ネットワーク装置が該セルの端末装置へＤＣＩさえ送信すれば、該セルの端末装置は該セルの共通伝送パラメータに基づき、ネットワーク装置から送信されたＤＣＩを検出することができる。
【００６５】
選択可能に、一つの実施例として、ネットワーク装置が共通制御チャネルで第二のＤＣＩを伝送する場合、端末装置は共通制御チャネルで第二のＤＣＩを検出することができる。また、ネットワーク装置が端末装置へ第二のＤＣＩを伝送するのが共通制御チャネルにおいて行っていない場合、端末装置はシステム帯域幅の部分の周波数領域リソースのみで第二のＤＣＩを検出することができ、ここで、該部分の周波数領域リソースが第一のＤＣＩによって示される周波数領域リソースである。例えば、ネットワーク装置は第一のＤＣＩにより、第二のＤＣＩがあるｎｕｍｅｒｏｌｇｙの周波数領域リソースを該部分の周波数領域リソースとして使用することを示すことができる。
【００６６】
具体的には、端末装置はあるサブバンドにおける専用制御チャネルで第二のＤＣＩを検出することができ、例えば、端末装置は強化されたダウンリンク制御チャネル（ＥＰＤＣＣＨ：Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）で第二のＤＣＩを検出し、端末装置はあるｎｕｍｅｒｏｌｇｙに対応する周波数領域リソースで第二のＤＣＩを検出することもできる。本発明の実施例では、第二のＤＣＩを送信するために占有された部分の周波数領域リソースを第一のＤＣＩによって示し、これにより端末装置は部分の周波数領域リソースだけで第二のＤＣＩを検出すればよく、それによってＤＣＩ検出の複雑さを下げ、対応するプロセスを省く。
【００６７】
選択可能に、一つの実施例として、上記第二のＤＣＩを搬送する制御チャネルは上記ターゲットデータを搬送するデータチャネルと同じ時間領域リソース及び／又は周波数領域リソースを占有することができる。即ち、ネットワーク装置は同じ物理リソースで端末装置へ第二のＤＣＩを送信し、ターゲットデータを伝送することができる。理解すべきものとして、ここでの時間領域リソースはＯＦＤＭシンボル、サブフレーム、ＴＴＩなどであってもよく、周波数領域リソースは物理リソースブロック（ＰＲＢ：Ｐｈｙｓｉｃａｌ  Ｒｅｓｏｕｒｃｅ  Ｂｌｏｃｋ）、サブバンド、サブ搬送波などであってもよい。具体的には、第二のＤＣＩの制御チャネルとターゲットデータを搬送するデータチャネルが同じ時間領域リソースを占有する場合、周波数分割多重（ＦＤＭ：Ｆｒｅｑｕｅｎｃｙ  Ｄｉｖｉｓｉｏｎ  Ｍｕｔｉｐｌｅｘｉｎｇ）によって多重化されてもよく、この時に第二のＤＣＩの制御チャネルとデータチャネルに異なるＰＲＢを割り当て、第二のＤＣＩとデータチャネルにおけるターゲットデータの伝送をそれぞれ行うことができる。第二のＤＣＩの制御チャネルとターゲットデータのデータチャネルが同じ周波数領域リソースを占有する場合、時分割多重（ＴＤＭ：Ｔｉｍｅ  Ｄｉｖｉｓｉｏｎ  Ｍｕｌｔｉｐｌｅｘｉｎｇ）によって多重化されてもよく、この時に第二のＤＣＩの制御チャネルとデータチャネルに異なるＯＦＤＭシンボルを割り当て、第二のＤＣＩとデータチャネルにおけるターゲットデータの伝送をそれぞれ行うことができる。
【００６８】
選択可能に、一つの実施例として、上記第一のＤＣＩは端末装置がデータチャネルでターゲットデータを送信／又は受信する時に使用する情報を含むことができ、該情報は具体的に下記の情報のうちの少なくとも一つを含むことができる。
【００６９】
サブ搬送波間隔であって、サブ搬送波間隔が隣接するサブ搬送波間の周波数間隔を示すことに用いられ、例えば、ここでのサブ搬送波間隔が１５ＫＨｚ、６０ＫＨｚなどであってもよい。
【００７０】
プリセット帯域幅におけるサブ搬送波の数であって、各可能なシステム帯域幅に対応するサブ搬送波の数を示すことに用いられてもよい。
【００７１】
ＰＲＢに含まれるサブ搬送波数であって、一つのＰＲＢに含まれるサブ搬送波の数を示すことに用いられ、例えば、一つのＰＲＢに含まれるサブ搬送波の数が１２の整数倍例えば１２、２４などであってもよい。
【００７２】
ＯＦＤＭシンボル長であって、該ＯＦＤＭシンボルは端末装置がターゲットデータの送信又は受信を行う時に使用するＯＦＤＭシンボルであってもよい。
【００７３】
フーリエ変換又は逆フーリエ変換によってＯＦＤＭ信号を生成するために使用されるポイントの数であって、ここでのフーリエ変換は高速フーリエ変換（ＦＦＴ：Ｆａｓｔ  Ｆｏｕｒｉｅｒ  Ｔｒａｎｓｆｏｒｍ）であってもよく、逆フーリエ変換は高速逆フーリエ変換（ＩＦＦＴ：Ｉｎｖｅｒｓｅ  Ｆａｓｔ  Ｆｏｕｒｉｅｒ  Ｔｒａｎｓｆｏｒｍ）であってもよい。
【００７４】
一つのＴＴＩに含まれるＯＦＤＭシンボルの数であって、例えば、一つのＴＴＩに含まれるＯＦＤＭシンボルの数は１４の整数倍、又は２、４、７などの値であってもよい。
【００７５】
プリセット時間単位内に含まれるＴＴＩの数であって、例えば、一つの固定時間例えば１ｍｓ又は１０ｍｓ時間に含まれるＴＴＩの数である。
【００７６】
信号プレフィックス情報であって、端末装置がターゲットデータを送信又は受信する時に使用する信号の信号プレフィックス情報であってもよく、それは信号のサイクリックプレフィックスの時間長、サイクリックプレフィックスが通常のサイクリックプレフィックス又は拡張サイクリックプレフィックスを使用するかを含むことができる。
【００７７】
Ａ／Ｎフィードバック時間シーケンス情報であって、ターゲットデータの送信又は受信と対応するＡ／Ｎフィードバックとの時間シーケンス関係を示すことに用いられ、具体的には、該Ａ／Ｎフィードバック時間シーケンス情報はターゲットデータが位置する伝送時間単位と対応するＡ／Ｎフィードバックが位置する伝送時間単位との間のサブフレームオフセット数を意味してもよい。
【００７８】
物理リソース割り当てモードであって、リソース割り当てを行う時にどのモードで物理リソースの割り当てを行うか（タイプ０、タイプ１又はタイプ２を使用するか）を示すことに用いられる。
【００７９】
周波数ホッピング配置情報であって、周波数領域周波数ホッピングがオンになっているか否かを示すことに用いられる。
【００８０】
選択可能に、一つの実施例として、上記第二のＤＣＩは端末装置がデータチャネルでターゲットデータを送信又は受信する時に使用する情報を含むことができ、該情報は具体的に下記の情報のうちの少なくとも一つを含むことができる。
【００８１】
物理リソース割り当て情報であって、対応する物理リソース割り当てモードの情報ドメインを示すことに用いられ、又はＤＣＩスケジューリングに基づくターゲットデータに占有された周波数領域リソースの割り当て情報ドメインを示すことに用いられ、例えば該周波数領域リソースが物理リソースブロック（ＰＲＢ：Ｐｈｙｓｉｃａｌ  Ｒｅｓｏｕｒｃｅ  Ｂｌｏｃｋ）であってもよい。
【００８２】
アップリンク送信電力制御情報であって、端末装置のアップリンク送信電力を動的に調整することに用いられる。
【００８３】
Ａ／Ｎフィードバック時間シーケンス情報であって、ターゲットデータの送信又は受信と対応するＡ／Ｎフィードバックとの時間シーケンス関係を示すことに用いられ、具体的には、該Ａ／Ｎフィードバック時間シーケンス情報はターゲットデータが位置する伝送時間単位と対応するＡ／Ｎフィードバックが位置する伝送時間単位との間のサブフレームオフセット数を意味してもよい。
【００８４】
周波数ホッピング配置情報であって、周波数領域周波数ホッピングがオンになっているか否かを示すことに用いられる。
【００８５】
ハイブリッド自動再送リクエスト（ＨＡＲＱ：Ｈｙｂｒｉｄ  Ａｕｔｏ  Ｒｅｐｅａｔ  Ｒｅｑｕｅｓｔ）プロセス情報であって、データチャネルでターゲットデータの送信又は受信に対応するＨＡＲＱプロセスを実行するように端末装置に指示することに用いられる。
【００８６】
チャネル状態情報（ＣＳＩ：Ｃｈａｎｎｅｌ  Ｓｔａｔｅ  Ｉｎｆｏｒｍａｔｉｏｎ）報告トリガ情報であって、非周期ＣＳＩ報告を行うように端末装置をトリガすることに用いられる。
【００８７】
サウンディング基準信号（ＳＲＳ：Ｓｏｕｎｄｉｎｇ  Ｒｅｆｅｒｅｎｃｅ  Ｓｉｇｎａｌ）伝送トリガ情報であって、非周期ＳＲＳ報告を行うように端末装置をトリガすることに用いられる。
【００８８】
伝送ブロック伝送情報であって、各伝送ブロックの伝送情報を含み、具体的に各伝送ブロックの変調符号化スキーム（ＭＣＳ：Ｍｏｄｕｌａｔｉｏｎａｎｄ  Ｃｏｄｉｎｇ  Ｓｃｈｅｍｅ）、新しいデータ指示（ＮＤＩ：Ｎｅｗ  Ｄａｔａ  ｉｎｄｉｃａｔｏｒ）と冗長バージョン（ＲＶ：Ｒｅｄｕｎｄａｎｃｙ  ｖｅｒｓｉｏｎ）を含む。
【００８９】
アップリンク復調基準信号（ＤＭＲＳ：Ｄｅｄｉｃａｔｅｄ  Ｒｅｆｅｒｅｎｃｅ  Ｓｉｇｎａｌ）配置情報であって、アップリンクＤＭＲＳの繰り返しシフトと直交カバーコード（ＯＣＣ：Ｏｒｔｈｏｇｏｎａｌ  Ｃｏｖｅｒ  Ｃｏｄｅ）配置を示すことに用いられる。
【００９０】
ダウンリンクＤＭＲＳ配置情報であって、ダウンリンクＤＭＲＳに使用されるポート、スクランブルシーケンスなどの配置情報を示すことに用いられる。
【００９１】
以上に図１を参照し、端末装置側から本発明の実施例による無線ネットワークに基づく通信方法を説明し、以下に図２を参照し、ネットワーク装置側から本発明の実施例による無線ネットワークに基づく通信方法を説明する。理解すべきものとして、端末装置側とネットワーク装置側の説明が相互に対応するので、詳細に説明されない部分について図１の実施例を参照することができる。
【００９２】
図２は本発明の実施例による無線ネットワークに基づく通信方法の概略フローチャートである。図２の方法は２１０と２２０を含む。
【００９３】
２１０において、ネットワーク装置は端末装置へ第一のＤＣＩを送信する。
【００９４】
２２０において、前記ネットワーク装置は前記端末装置へ第二のＤＣＩを送信し、ここで、前記第一のＤＣＩと前記第二のＤＣＩが前記端末装置のターゲットデータの送信又は受信に用いられる。
【００９５】
いくつかの実施例において、上記の第一のＤＣＩと第二のＤＣＩに使用される可能性があるＤＣＩフォーマットが複数である場合、端末装置は、ネットワーク装置から送信された第一のＤＣＩと第二のＤＣＩを取得するために、第一のＤＣＩと第二のＤＣＩがあるＤＣＩフォーマットに基づいて検出されるまで各ＤＣＩフォーマットに基づいてそれぞれＤＣＩの検出を行う必要がある。
【００９６】
いくつかの実施例では、上記の第一のＤＣＩと第二のＤＣＩが異なるタイプの制御情報を含むことができ、このようにして第一のＤＣＩと第二のＤＣＩによって異なるタイプの制御情報を搬送することができ、複数のＤＣＩを伝送して異なる制御情報を搬送することにより、異なるタイプの制御情報の伝送要求を満たすことができる。
【００９７】
いくつかの実施例では、上記の第一のＤＣＩと第二のＤＣＩが異なるＤＣＩフォーマットを有することができ、例えば、第一のＤＣＩのＤＣＩフォーマットがＤＣＩ１であり、第二のＤＣＩのＤＣＩフォーマットがＤＣＩ１Ａである。当然、上記の第一のＤＣＩと第二のＤＣＩが同じＤＣＩフォーマットを有することもできる。
【００９８】
いくつかの実施例では、上記の第一のＤＣＩと第二のＤＣＩの情報長及び／又は情報内容が異なってもよい。ここで、情報長が異なることは、ＤＣＩに含まれる制御情報の総ビット数が異なることを意味し、情報内容が異なることは、ＤＣＩに含まれる制御情報ドメインが異なること、又はＤＣＩにおける各制御ドメインに示される内容が異なることを意味する。
【００９９】
本発明の実施例では、二つのＤＣＩで異なるタイプの制御情報を送信することができ、これにより異なるタイプの制御情報の伝送要求を満たすことができ、それによって端末装置は二つのＤＣＩにおける制御情報に基づいてターゲットデータの送信又は受信を行い、また、異なるタイプの制御情報の伝送周期要求が異なる場合、二つのＤＣＩで異なるタイプの制御情報を搬送することにより、制御情報の送信周期を合理的に確定することができ、それによって一定のシグナリングオーバーヘッドを節約する。
【０１００】
選択可能に、一つの実施例として、ネットワーク装置は端末装置へ第一のＤＣＩと第二のＤＣＩを周期的に送信することができる。具体的には、ネットワーク装置は端末装置へ第一のＤＣＩと第二のＤＣＩをそれぞれ第一のリソース周期と第二のリソース周期で送信することができる。
【０１０１】
いくつかの実施例では、上記の第一のリソース周期と第二のリソース周期は信号を伝送するための時間領域リソース単位の整数倍であってもよく、そして第一のリソース周期は第二のリソース周期より長い。ここで、信号を伝送するための時間領域リソース単位はサブフレーム、ＴＴＩ、ＯＦＤＭシンボル及び無線フレームのいずれかの一つであってもよい。
【０１０２】
選択可能に、一つの実施例として、ネットワーク装置は共通制御チャネルで第一のＤＣＩを送信することができ、ネットワーク装置はセルの共通伝送パラメータに基づき、第一のＤＣＩを送信することもできる。ここでのセルの共通伝送パラメータは制御チャネルに占有された物理リソース、リソースの割り当てモード、情報スクランブルモード及びチェックモードなどを含むことができ、また、セルの共通伝送パラメータが一つのセルのユーザ全員にとって知られるものであり、即ちこれらの共通伝送パラメータがセルに専用されるものであり、したがって、ネットワーク装置が該セルの端末装置へＤＣＩを送信する場合、該セルの端末装置は該セルの共通伝送パラメータに基づき、ネットワーク装置から送信されたＤＣＩを検出することができる。
【０１０３】
選択可能に、一つの実施例として、ネットワーク装置は共通制御チャネルで第二のＤＣＩを伝送することができ、ネットワーク装置はシステム帯域幅の部分の周波数領域リソースで第二のＤＣＩを送信することができる。ここで、該部分の周波数領域リソースが第一のＤＣＩによって示される周波数領域リソースであり、本発明の実施例では、ネットワーク装置は第一のＤＣＩにより、第二のＤＣＩを送信するために占有された周波数領域リソースを示し、これにより端末装置は部分の周波数領域リソースだけで第二のＤＣＩを検出すればよく、それによってＤＣＩ検出の複雑さを下げ、対応するプロセスを省く。
【０１０４】
選択可能に、一つの実施例として、前記第二のＤＣＩを搬送する制御チャネルとターゲットデータを搬送するデータチャネルが同じ時間領域リソース又は周波数領域リソースを占有する。
【０１０５】
選択可能に、一つの実施例として、ネットワーク装置から送信された第一のＤＣＩは、前記端末装置がターゲットデータの送信又は受信を行う時に使用される、
サブ搬送波間隔、
プリセット帯域幅におけるサブ搬送波の数、
物理リソースブロックに含まれるサブ搬送波の数、
ＯＦＤＭシンボル長、
フーリエ変換又は逆フーリエ変換によってＯＦＤＭ信号を生成するために使用されるポイントの数、
一つのＴＴＩに含まれるＯＦＤＭシンボルの数、
プリセット時間単位内に含まれるＴＴＩの数、
信号プレフィックス情報、
Ａ／Ｎフィードバック時間シーケンス情報、
物理リソース割り当てモード、
周波数ホッピング配置情報のうちの少なくとも一つを含むことができる。
【０１０６】
選択可能に、一つの実施例として、ネットワーク装置から送信された第二のＤＣＩは前記端末装置がターゲットデータの送信又は受信を行う時に使用される、
物理リソース割り当て情報、
アップリンク送信電力制御情報、
Ａ／Ｎフィードバック時間シーケンス情報、
周波数ホッピング配置情報、
ＨＡＲＱプロセス情報、
ＣＳＩ報告トリガ情報、
ＳＲＳ伝送トリガ情報、
伝送ブロック伝送情報、
アップリンクＤＭＲＳ配置情報、
ダウンリンクＤＭＲＳ配置情報のうちの少なくとも一つを含む。
【０１０７】
以下に図３と図４を参照して具体的な実施例で本発明の実施例による無線ネットワークに基づく通信方法を詳細に説明する。
【０１０８】
図３は本発明の実施例による無線ネットワークに基づく通信方法の概略フローチャートである。図３の方法は３０１〜３０４を含む。
【０１０９】
３０１において、ネットワーク装置は共通制御チャネルで第一のＤＣＩをＤＣＩ１フォーマットで伝送する。
【０１１０】
上記共通制御チャネルはシステム帯域幅全体を占有し、そして第一のＤＣＩを伝送する時にセル専用の伝送モードを使用することができ、即ち、該共通制御チャネルに使用されるリソース割り当てモード、情報スクランブルモード及びチェックモードなどが全てセル専用のものであり、端末装置はこれらのセル専用のパラメータを予め知り、このようにして、ネットワーク装置が該セルの端末装置へＤＣＩを送信する場合、該セルの端末装置は該セルの共通伝送パラメータに基づいてネットワーク装置から送信されたＤＣＩを検出することができる。
【０１１１】
３０２において、端末装置は共通制御チャネルで第一のＤＣＩをＤＣＩ１フォーマットで検出し、第一のＤＣＩに含まれるサブ搬送波間隔情報と周波数領域リソース情報を取得し、ここで、第一のＤＣＩにおけるサブ搬送波間隔情報が複数の候補サブ搬送波からサブ搬送波間隔１を選択するように端末装置に指示し、周波数領域リソース情報がサブ搬送波間隔１の周波数領域リソース１（周波数領域リソース１が具体的にＰＤＢ又はサブバンドであってもよい）を使用するように端末装置に指示する。
【０１１２】
３０３において、ネットワーク装置は周波数領域リソース１の専用制御チャネルリソース領域において、サブ搬送波間隔１を使用して第二のＤＣＩをＤＣＩ２フォーマットで伝送する。
【０１１３】
３０４において、端末装置は周波数領域リソース１の専用制御チャネルリソース領域においてサブ搬送波間隔１を使用し、ネットワーク装置から送信されたＤＣＩをそれぞれ様々なＤＣＩ２及びＤＣＩ３フォーマットで検出し、第二のＤＣＩを検出し、第二のＤＣＩに含まれる制御情報を取得する。第二のＤＣＩ２は、物理リソース割り当て情報、Ａ／Ｎフィードバック時間シーケンス情報、ＨＡＲＱプロセス情報、ＳＲＳ伝送トリガ情報、各伝送ブロック伝送情報、ダウンリンクＤＭＲＳ配置情報を含むことができる。
【０１１４】
３０５において、端末装置は第二のＤＣＩにおける制御情報に基づき、第二のＤＣＩに示される物理リソースで、ダウンリンクデータチャネルの検出をサブ搬送波間隔１で行う。
【０１１５】
図４は本発明の実施例による無線ネットワークに基づく通信方法の概略フローチャートである。図４の方法は４０１〜４０５を含む。
【０１１６】
４０１において、ネットワーク装置はサブフレームＮの共通制御チャネルで第一のＤＣＩをＤＣＩ１フォーマットで伝送し、ここで、各ダウンリンクサブフレームがいずれも共通制御チャネルを含むが、サブフレームインデックス番号ＮがＮｍｏｄ  Ｔ＝０（Ｔに対するＮのモッドがゼロに等しい）を満たしているダウンリンクサブフレームにおける共通制御チャネルだけがＤＣＩ１フォーマットの第一のＤＣＩを伝送することに用いられてもよく、即ち、全てのサブフレームにおいて第一のＤＣＩを伝送する必要がなく、Ｔ個のサブフレームごとに第一のＤＣＩを一回伝送する必要があり、例えばＴ＝５の場合、ネットワーク装置は５つのサブフレームごとに第一のＤＣＩを一回伝送する必要がある。
【０１１７】
上記共通制御チャネルがシステム帯域幅全体を占有することができ、そして該制御チャネルがセル専用の伝送モードを使用することができ、即ち、該共通制御チャネルに使用されるリソース割り当てモード、情報スクランブルモード、チェックモードなどが全てセル専用のものであり、端末装置はこれらのセル専用のパラメータを予め知る。ネットワーク装置が該セルの端末装置へＤＣＩを送信する場合、該セルの端末装置は該セルの共通伝送パラメータに基づいてネットワーク装置から送信されたＤＣＩを検出することができる。
【０１１８】
４０２において、端末装置はサブフレームＮの共通制御チャネルで第一のＤＣＩをＤＣＩ１フォーマットで検出して第一のＤＣＩに含まれるサブ搬送波間隔情報と周波数領域リソース割り当てタイプ情報を取得し、第二のＤＣＩのサブ搬送波間隔情報が複数の候補サブ搬送波からサブ搬送波間隔１を選択するように端末装置に指示し、周波数領域リソース割り当てタイプ情報が、端末装置がデータチャネル伝送を行う時に使用する周波数領域リソース割り当てタイプがタイプ１であることを示す。
【０１１９】
４０３において、ネットワーク装置はサブフレームＮ＋２の共通制御チャネルで第二のＤＣＩをＤＣＩ２フォーマットで伝送する。ネットワーク装置はＮ個のサブフレームごとに端末装置へ第一のＤＣＩを一回送信し、Ｎ＋２個のサブフレームごとに端末装置へ第二のＤＣＩを一回送信し、これは第一のＤＣＩを送信する周期が第二のＤＣＩより短いことを示し、したがって、第二のＤＣＩにいくつかの時間に伴う変化が小さい基礎制御を含ませ、第一のＤＣＩに時間に伴う変化が大きい制御情報を含ませることが可能である。このようにして異なる周期で第一のＤＣＩと第二のＤＣＩを送信することにより、一定のシグナリングオーバーヘッドを節約することができる。
【０１２０】
４０４において、端末装置はＤＣＩ２フォーマットに基づき、サブフレームＮ＋２においてネットワーク装置から送信された第二のＤＣＩを検出し、第二のＤＣＩに含まれる制御情報を取得する。第二のＤＣＩ２は、物理リソース割り当て情報、アップリンク送信電力制御情報、ＨＡＲＱプロセス情報、ＣＳＩ報告トリガ情報、ＳＲＳ伝送トリガ情報、各伝送ブロック伝送情報、アップリンクＤＭＲＳ配置情報を含むことができる。
【０１２１】
４０５において、端末装置は第二のＤＣＩにおける制御情報に基づき、周波数領域リソース割り当てモード１とサブ搬送波間隔１で、第二のＤＣＩに示される物理リソースでアップリンクデータを伝送する。
【０１２２】
図１〜図４を参照して本発明の実施例による無線ネットワークに基づく通信方法を説明し、以下に図５〜図８を参照して本発明の実施例による端末装置とネットワーク装置を詳細に説明する。理解すべきものとして、図５〜図８における端末装置とネットワーク装置は上記の、端末装置とネットワーク装置によって実行される各ステップを実行することができ、繰り返しを回避するために、ここで詳細な説明を省略する。
【０１２３】
図５は本発明の実施例による端末装置の概略構造図である。図５の端末装置５００は第一の検出モジュール５１０、第二の検出モジュール５２０と処理モジュール５３０を備える。
【０１２４】
第一の検出モジュール５１０は、ネットワーク装置から送信された第一のＤＣＩを検出するように構成される。
【０１２５】
第二の検出モジュール５２０は、前記ネットワーク装置から送信された第二のＤＣＩを検出するように構成される。
【０１２６】
処理モジュール５３０は、前記第一のＤＣＩ及び前記第二のＤＣＩにおける制御情報を組み合わせ、ターゲットデータの送信又は受信を行うように構成される。
【０１２７】
本発明の実施例では、二つのＤＣＩで異なるタイプの制御情報を送信することができ、これにより異なるタイプの制御情報の伝送要求を満たすことができ、それによって端末装置は二つのＤＣＩにおける制御情報に基づいてターゲットデータの送信又は受信を行い、また、異なるタイプの制御情報の伝送周期要求が異なる場合、二つのＤＣＩで異なるタイプの制御情報を搬送することにより、制御情報の送信周期を合理的に確定することができ、それによって一定のシグナリングオーバーヘッドを節約する。
【０１２８】
選択可能に、一つの実施例として、前記第一のＤＣＩと前記第二のＤＣＩが異なるＤＣＩフォーマットを有する。
【０１２９】
選択可能に、一つの実施例として、前記第一のＤＣＩと前記第二のＤＣＩに含まれる情報長及び／又は情報内容が異なる。
【０１３０】
選択可能に、一つの実施例として、前記第一の検出モジュール５１０は具体的に前記ネットワーク装置から送信された前記第一のＤＣＩを第一のリソース周期で周期的に検出するように構成され、前記第二の検出モジュール５２０は具体的に前記ネットワーク装置から送信された前記第二のＤＣＩを第二のリソース周期で周期的に検出するように構成される。
【０１３１】
選択可能に、一つの実施例として、前記第一のリソース周期と前記第二のリソース周期が信号を伝送するための時間領域リソース単位の整数倍であり、前記第一のリソース周期が前記第二のリソース周期より長い。
【０１３２】
選択可能に、一つの実施例として、前記処理モジュール５３０は具体的に、
現在の第二のリソース周期内で検出された前記第二のＤＣＩ及び直近に検出された前記第一のＤＣＩにおける制御情報を組み合わせ、ターゲットデータの送信又は受信を行うように構成される。
【０１３３】
選択可能に、一つの実施例として、前記処理モジュール５３０はさらに、
前記第二の検出モジュールが現在の第二のリソース周期内で前記第二のＤＣＩが検出されていない場合、データの送信又は受信を行わないように構成される。
【０１３４】
選択可能に、一つの実施例として、前記第一の検出モジュール５１０は具体的に共通制御チャネルで前記第一のＤＣＩを検出するように構成され、及び／又は、セルの共通伝送パラメータに基づき、前記第一のＤＣＩを検出するように構成される。
【０１３５】
選択可能に、一つの実施例として、前記第二の検出モジュール５２０は具体的に共通制御チャネルで前記第二のＤＣＩを検出するように構成され、又は、システム帯域幅の部分の周波数領域リソースで前記第二のＤＣＩを検出するように構成される。
【０１３６】
選択可能に、一つの実施例として、前記部分の周波数領域リソースは前記第一のＤＣＩによって示される周波数領域リソースである。
【０１３７】
選択可能に、一つの実施例として、前記第二のＤＣＩを搬送する制御チャネルと前記ターゲットデータを搬送するデータチャネルが同じ時間領域リソース又は周波数領域リソースを占有している。
【０１３８】
選択可能に、一つの実施例として、前記第一のＤＣＩは、前記端末装置がターゲットデータの送信又は受信を行う時に使用される、
サブ搬送波間隔、
プリセット帯域幅におけるサブ搬送波の数、
物理リソースブロックに含まれるサブ搬送波の数、
直交周波数分割多重（ＯＦＤＭ）シンボル長、
フーリエ変換又は逆フーリエ変換によってＯＦＤＭ信号を生成するために使用されるポイントの数、
一つのＴＴＩに含まれるＯＦＤＭシンボルの数、
プリセット時間単位内に含まれるＴＴＩの数、
信号プレフィックス情報、
Ａ／Ｎフィードバック時間シーケンス情報、
物理リソース割り当てモード、
周波数ホッピング配置情報のうちの少なくとも一つを含む。
【０１３９】
選択可能に、一つの実施例として、前記第二のＤＣＩは、前記端末装置がターゲットデータの送信又は受信を行う時に使用される
物理リソース割り当て情報、
アップリンク送信電力制御情報、
Ａ／Ｎフィードバック時間シーケンス情報、
周波数ホッピング配置情報、
ハイブリッド自動再送リクエスト（ＨＡＲＱ）プロセス情報、
チャネル状態情報（ＣＳＩ）報告トリガ情報、
サウンディング基準信号（ＳＲＳ）伝送トリガ情報、
伝送ブロック伝送情報、
アップリンク復調基準信号（ＤＭＲＳ）配置情報、
ダウンリンクＤＭＲＳ配置情報のうちの少なくとも一つを含む。
【０１４０】
図６は本発明の実施例による端末装置の概略構造図である。図６のネットワーク装置６００は第一の送信モジュール６１０と第二の送信モジュール６２０を備える。
【０１４１】
第一の送信モジュール６１０は端末装置へ第一のＤＣＩを送信するように構成される。
【０１４２】
第二の送信モジュール６２０は前記端末装置へ第二のＤＣＩを送信するように構成され、ここで、前記第一のＤＣＩと前記第二のＤＣＩが前記端末装置のターゲットデータの送信又は受信に用いられる。
【０１４３】
本発明の実施例では、二つのＤＣＩで異なるタイプの制御情報を送信することができ、これにより異なるタイプの制御情報の伝送要求を満たすことができ、それによって端末装置は二つのＤＣＩにおける制御情報に基づいてターゲットデータの送信又は受信を行い、また、異なるタイプの制御情報の伝送周期要求が異なる場合、二つのＤＣＩで異なるタイプの制御情報を搬送することにより、制御情報の送信周期を合理的に確定することができ、それによって一定のシグナリングオーバーヘッドを節約する。
【０１４４】
選択可能に、一つの実施例として、前記第一のＤＣＩと前記第二のＤＣＩが異なるＤＣＩフォーマットを有する。
【０１４５】
選択可能に、一つの実施例として、前記第一のＤＣＩと前記第二のＤＣＩに含まれる情報長及び／又は情報内容が異なる。
【０１４６】
選択可能に、一つの実施例として、前記第一の送信モジュール６１０は具体的に前記端末装置へ前記第一のＤＣＩを第一のリソース周期で周期的に送信するように構成され、前記第二の送信モジュール６２０は具体的に前記端末装置へ前記第二のＤＣＩを第二のリソース周期で周期的に送信するように構成される。
【０１４７】
選択可能に、一つの実施例として、前記第一のリソース周期と前記第二のリソース周期が信号を伝送するための時間領域リソース単位の整数倍であり、前記第一のリソース周期が前記第二のリソース周期より長い。
【０１４８】
選択可能に、一つの実施例として、前記第一の送信モジュール６１０は具体的に共通制御チャネルで前記第一のＤＣＩを送信するように構成され、及び／又は、セルの共通伝送パラメータに基づき、前記第一のＤＣＩを送信するように構成される。
【０１４９】
選択可能に、一つの実施例として、前記第二の送信モジュール６２０は具体的に共通制御チャネルで前記第二のＤＣＩを送信するように構成され、又は、システム帯域幅の部分の周波数領域リソースで前記第二のＤＣＩを送信するように構成される。
【０１５０】
選択可能に、一つの実施例として、前記部分の周波数領域リソースは前記第一のＤＣＩによって示される周波数領域リソースである。
【０１５１】
選択可能に、一つの実施例として、前記第二のＤＣＩを搬送する制御チャネルと前記ターゲットデータを搬送するデータチャネルが同じ時間領域リソース又は周波数領域リソースを占有している。
【０１５２】
選択可能に、一つの実施例として、前記第一のＤＣＩは、前記処理モジュールがターゲットデータの送信又は受信を行う時に使用される、
サブ搬送波間隔、
プリセット帯域幅におけるサブ搬送波の数、
物理リソースブロックに含まれるサブ搬送波の数、
直交周波数分割多重（ＯＦＤＭ）シンボル長、
フーリエ変換又は逆フーリエ変換によってＯＦＤＭ信号を生成するために使用されるポイントの数、
一つのＴＴＩに含まれるＯＦＤＭシンボルの数、
プリセット時間単位内に含まれるＴＴＩの数、
信号プレフィックス情報、
Ａ／Ｎフィードバック時間シーケンス情報、
物理リソース割り当てモード、
周波数ホッピング配置情報のうちの少なくとも一つを含む。
【０１５３】
選択可能に、一つの実施例として、前記第二のＤＣＩは、前記処理モジュールがターゲットデータの送信又は受信を行う時に使用される、
物理リソース割り当て情報、
アップリンク送信電力制御情報、
Ａ／Ｎフィードバック時間シーケンス情報、
周波数ホッピング配置情報、
ハイブリッド自動再送リクエスト（ＨＡＲＱ）プロセス情報、
チャネル状態情報（ＣＳＩ）報告トリガ情報、
サウンディング基準信号（ＳＲＳ）伝送トリガ情報、
伝送ブロック伝送情報、
アップリンク復調基準信号（ＤＭＲＳ）配置情報、
ダウンリンクＤＭＲＳ配置情報のうちの少なくとも一つを含む。
【０１５４】
図７は本発明の実施例による端末装置の概略構造図である。図７の端末装置７００はメモリ７１０、送受信機７２０とプロセッサ７３０を備える。
【０１５５】
メモリ７１０はプログラムを記憶するように構成される。
【０１５６】
送受信機７２０はネットワーク装置から送信された第一のＤＣＩと第二のＤＣＩを検出するように構成される。
【０１５７】
プロセッサ７３０は前記メモリ７１０に記憶されたプログラムを実行するように構成され、前記プログラムが実行される場合、前記プロセッサ７３０が前記第一のＤＣＩと前記第二のＤＣＩにおける制御情報を組み合わせ、ターゲットデータの送信又は受信を行う。
【０１５８】
本発明の実施例では、二つのＤＣＩで異なるタイプの制御情報を送信することができ、これにより異なるタイプの制御情報の伝送要求を満たすことができ、それによって端末装置は二つのＤＣＩにおける制御情報に基づいてターゲットデータの送信又は受信を行い、また、異なるタイプの制御情報の伝送周期要求が異なる場合、二つのＤＣＩで異なるタイプの制御情報を搬送することにより、制御情報の送信周期を合理的に確定することができ、それによって一定のシグナリングオーバーヘッドを節約する。
【０１５９】
選択可能に、一つの実施例として、前記第一のＤＣＩと前記第二のＤＣＩが異なるＤＣＩフォーマットを有する。
【０１６０】
選択可能に、一つの実施例として、前記第一のＤＣＩと前記第二のＤＣＩに含まれる情報長及び／又は情報内容が異なる。
【０１６１】
選択可能に、一つの実施例として、前記送受信機７２０は具体的に前記ネットワーク装置から送信された前記第一のＤＣＩを第一のリソース周期で周期的に検出し、前記ネットワーク装置から送信された前記第二のＤＣＩを第二のリソース周期で周期的に検出するように構成される。
【０１６２】
選択可能に、一つの実施例として、前記第一のリソース周期と前記第二のリソース周期が信号を伝送するための時間領域リソース単位の整数倍であり、前記第一のリソース周期が前記第二のリソース周期より長い。
【０１６３】
選択可能に、一つの実施例として、前記プロセッサ７３０は具体的に、
前記受信機７２０によって現在の第二のリソース周期内で検出された前記第二のＤＣＩ及び直近に検出された前記第一のＤＣＩにおける制御情報を組み合わせ、ターゲットデータの送信又は受信を行うように構成される。
【０１６４】
選択可能に、一つの実施例として、前記プロセッサ７３０はさらに、
前記送受信機７２０が現在の第二のリソース周期内で前記第二のＤＣＩが検出されていない場合、データの送信又は受信を行わないように構成される。
【０１６５】
選択可能に、一つの実施例として、前記送受信機７２０は具体的に共通制御チャネルで前記第一のＤＣＩを検出するように構成され、及び／又は、セルの共通伝送パラメータに基づき、前記第一のＤＣＩを検出するように構成される。
【０１６６】
選択可能に、一つの実施例として、前記送受信機７２０は具体的に共通制御チャネルで前記第二のＤＣＩを検出するように構成され、又は、システム帯域幅の部分の周波数領域リソースで前記第二のＤＣＩを検出するように構成される。
【０１６７】
選択可能に、一つの実施例として、前記部分の周波数領域リソースは前記第一のＤＣＩによって示される周波数領域リソースである。
【０１６８】
選択可能に、一つの実施例として、前記第二のＤＣＩを搬送する制御チャネルと前記ターゲットデータを搬送するデータチャネルが同じ時間領域リソース又は周波数領域リソースを占有している。
【０１６９】
選択可能に、一つの実施例として、前記第一のＤＣＩは、前記端末装置がターゲットデータの送信又は受信を行う時に使用される、
サブ搬送波間隔、
プリセット帯域幅におけるサブ搬送波の数、
物理リソースブロックに含まれるサブ搬送波の数、
直交周波数分割多重（ＯＦＤＭ）シンボル長、
フーリエ変換又は逆フーリエ変換によってＯＦＤＭ信号を生成するために使用されるポイントの数、
一つのＴＴＩに含まれるＯＦＤＭシンボルの数、
プリセット時間単位内に含まれるＴＴＩの数、
信号プレフィックス情報、
Ａ／Ｎフィードバック時間シーケンス情報、
物理リソース割り当てモード、
周波数ホッピング配置情報のうちの少なくとも一つを含む。
【０１７０】
選択可能に、一つの実施例として、前記第二のＤＣＩは、前記端末装置がターゲットデータの送信又は受信を行う時に使用される、
物理リソース割り当て情報、
アップリンク送信電力制御情報、
Ａ／Ｎフィードバック時間シーケンス情報、
周波数ホッピング配置情報、
ハイブリッド自動再送リクエスト（ＨＡＲＱ）プロセス情報、
チャネル状態情報（ＣＳＩ）報告トリガ情報、
サウンディング基準信号（ＳＲＳ）伝送トリガ情報、
伝送ブロック伝送情報、
アップリンク復調基準信号（ＤＭＲＳ）配置情報、
ダウンリンクＤＭＲＳ配置情報のうちの少なくとも一つを含む。
【０１７１】
図８は本発明の実施例によるネットワーク装置の概略構造図である。図８のネットワーク装置８００は、メモリ８１０と送受信機８２０を備える。
【０１７２】
メモリ８１０はプログラムを記憶するように構成される。
【０１７３】
送受信機８２０は前記プログラムが実行される場合、端末装置へ第一のＤＣＩと第二のＤＣＩを送信するように構成され、前記第一のＤＣＩと前記第二のＤＣＩが前記端末装置のターゲットデータの送信又は受信に用いられる。
【０１７４】
本発明の実施例では、二つのＤＣＩで異なるタイプの制御情報を送信することができ、これにより異なるタイプの制御情報の伝送要求を満たすことができ、それによって端末装置は二つのＤＣＩにおける制御情報に基づいてターゲットデータの送信又は受信を行い、また、異なるタイプの制御情報の伝送周期要求が異なる場合、二つのＤＣＩで異なるタイプの制御情報を搬送することにより、制御情報の送信周期を合理的に確定することができ、それによって一定のシグナリングオーバーヘッドを節約する。
【０１７５】
選択可能に、一つの実施例として、前記第一のＤＣＩと前記第二のＤＣＩが異なるＤＣＩフォーマットを有する。
【０１７６】
選択可能に、一つの実施例として、前記第一のＤＣＩと前記第二のＤＣＩに含まれる情報長及び／又は情報内容が異なる。
【０１７７】
選択可能に、一つの実施例として、前記送受信機８２０は具体的に前記端末装置へ前記第一のＤＣＩを第一のリソース周期で周期的に送信し、前記端末装置へ前記第二のＤＣＩを第二のリソース周期で周期的に送信するように構成される。
【０１７８】
選択可能に、一つの実施例として、前記第一のリソース周期と前記第二のリソース周期が信号を伝送するための時間領域リソース単位の整数倍であり、前記第一のリソース周期が前記第二のリソース周期より長い。
【０１７９】
選択可能に、一つの実施例として、前記送受信機８２０は具体的に共通制御チャネルで前記第一のＤＣＩを送信するように構成され、及び／又は、セルの共通伝送パラメータに基づき、前記第一のＤＣＩを送信するように構成される。
【０１８０】
選択可能に、一つの実施例として、前記送受信機８２０は具体的に共通制御チャネルで前記第二のＤＣＩを送信するように構成され、又は、システム帯域幅の部分の周波数領域リソースで前記第二のＤＣＩを送信するように構成される。
【０１８１】
選択可能に、一つの実施例として、前記部分の周波数領域リソースは前記第一のＤＣＩによって示される周波数領域リソースである。
【０１８２】
選択可能に、一つの実施例として、前記第二のＤＣＩを搬送する制御チャネルと前記ターゲットデータを搬送するデータチャネルが同じ時間領域リソース又は周波数領域リソースを占有している。
【０１８３】
選択可能に、一つの実施例として、前記第一のＤＣＩは、前記処理モジュールがターゲットデータの送信又は受信を行う時に使用される、
サブ搬送波間隔、
プリセット帯域幅におけるサブ搬送波の数、
物理リソースブロックに含まれるサブ搬送波の数、
直交周波数分割多重（ＯＦＤＭ）シンボル長、
フーリエ変換又は逆フーリエ変換によってＯＦＤＭ信号を生成するために使用されるポイントの数、
一つのＴＴＩに含まれるＯＦＤＭシンボルの数、
プリセット時間単位内に含まれるＴＴＩの数、
信号プレフィックス情報、
Ａ／Ｎフィードバック時間シーケンス情報、
物理リソース割り当てモード、
周波数ホッピング配置情報のうちの少なくとも一つを含む。
【０１８４】
選択可能に、一つの実施例として、前記第二のＤＣＩは、前記処理モジュールがターゲットデータの送信又は受信を行う時に使用される、
物理リソース割り当て情報、
アップリンク送信電力制御情報、
Ａ／Ｎフィードバック時間シーケンス情報、
周波数ホッピング配置情報、
ハイブリッド自動再送リクエスト（ＨＡＲＱ）プロセス情報、
チャネル状態情報（ＣＳＩ）報告トリガ情報、
サウンディング基準信号（ＳＲＳ）伝送トリガ情報、
伝送ブロック伝送情報、
アップリンク復調基準信号（ＤＭＲＳ）配置情報、
ダウンリンクＤＭＲＳ配置情報のうちの少なくとも一つを含む。
【０１８５】
当業者であれば、本明細書に開示される実施例と組み合わせて説明された各例のユニット及びアルゴリズムステップは、電子ハードウェア、又はコンピュータソフトウェアと電子ハードウェアとの組み合わせで実現されてもよいと理解できる。これらの機能がハードウェア又はソフトウェアで実行されるかどうかは技術的解決策の特定アプリケーションと設計制約条件に依存する。専門技術者は各特定のアプリケーションに対して異なる方法を使用して説明された機能を実現することができるが、このような実現は本発明の範囲を超えていると考えられるべきではない。
【０１８６】
当業者は便利且つ簡潔で説明するために、上述したシステム、装置とユニットの具体的な動作プロセスについて上記方法の実施例における対応するプロセスを参照でき、ここでは説明を省略することを明確に理解することができる。
【０１８７】
本出願が提供するいくつかの実施例では、開示されるシステム、装置及び方法は他の方式により実現されてもよいと理解すべきである。例えば、上述した装置の実施例は例示的なものだけであり、例えば、前記ユニットの区分はロジック機能的区分だけであり、実際に実施する時に他の区分方式もあり得て、例えば複数のユニット又は部材は組み合わせられてもよい又は別のシステムに統合されてもよく、又はいくつかの特徴は無視されてもよく、又は実行されなくてもよい。また、示される又は議論される相互結合又は直接結合又は通信接続はいくつかのインターフェース、装置又はユニットを介する間接的結合又は通信接続であってもよく、電気的、機械的又は他の形態であってもよい。
【０１８８】
分離部材として説明された前記ユニットは物理的に分離するものであってもよく又は物理的に分離するものでなくてもよく、ユニットとして表示された部材は物理的ユニットであってもよく又は物理的ユニットでなくてもよく、すなわち一つの箇所に位置してもよく、又は複数のネットワークユニットに分布してもよい。実際のニーズに応じてその中の一部又は全てのユニットを選択して本実施例の解決策の目的を達成することができる。
【０１８９】
また、本発明の各実施例における各機能ユニットは一つの処理ユニットに統合されてもよく、個々のユニットは単独で物理的に存在してもよく、２つ又は２つ以上のユニットは一つのユニットに統合されてもよい。
【０１９０】
前記機能はソフトウェア機能ユニットの形態で実現され且つ独立した製品として販売又は使用される場合、一つのコンピュータ可読記憶媒体に格納されてもよい。このような理解に基づき、本発明の技術的解決策は本質的にソフトウェア製品の形態で実現されてもよく、又は従来技術に貢献する部分又は該技術的解決策の部分がソフトウェア製品の形態で実現されてもよく、該コンピュータソフトウェア製品は一つのコンピュータ装置（パーソナルコンピュータ、サーバ、又はネットワーク装置などあってもよい）に本発明の各実施例に記載の方法の全部又は一部のステップを実行させるためのいくつかの命令を含む記憶媒体に記憶される。前記記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０１９１】
以上は、本発明の具体的な実施形態だけであり、本発明の保護範囲はこれに制限されず、当業者が本発明に開示された技術範囲内で容易に想到し得る変化又は入れ替わりが全て本発明の保護範囲以内に含まれるべきである。したがって、本発明の保護範囲は特許請求の範囲によってに準拠するべきである。
【図１】
2019525517.tif 000003
【図２】
2019525517.tif 000004
【図３】
2019525517.tif 000005
【図４】
2019525517.tif 000006
【図５】
2019525517.tif 000007
【図６】
2019525517.tif 000008
【図７】
2019525517.tif 000009
【図８】
2019525517.tif 000010
【手続補正書】
【提出日】平成31年1月17日(2019.1.17)
【手続補正１】
【補正対象書類名】特許請求の範囲
【補正対象項目名】全文
【補正方法】変更
【補正の内容】
【特許請求の範囲】
【請求項１】
無線ネットワークに基づく通信方法であって、
端末装置がネットワーク装置から送信された第一のダウンリンク制御情報（ＤＣＩ）を検出することと、
前記端末装置が前記ネットワーク装置から送信された第二のＤＣＩを検出することと、
前記端末装置が前記第一のＤＣＩ及び前記第二のＤＣＩにおける制御情報を組み合わせ、ターゲットデータの送信又は受信を行うこととを含む、前記通信方法。
【請求項２】
前記第一のＤＣＩと前記第二のＤＣＩが異なるＤＣＩフォーマットを有することを特徴とする
請求項１に記載の方法。
【請求項３】
前記第一のＤＣＩと前記第二のＤＣＩに含まれる情報長及び／又は情報内容が異なることを特徴とする
請求項１又は２に記載の方法。
【請求項４】
前記端末装置がネットワーク装置から送信された第一のＤＣＩを検出することは、
前記端末装置が前記ネットワーク装置から送信された前記第一のＤＣＩを第一のリソース周期で周期的に検出することを含み、
前記端末装置が前記ネットワーク装置から送信された第二のＤＣＩを検出することは、
前記端末装置が前記ネットワーク装置から送信された前記第二のＤＣＩを第二のリソース周期で周期的に検出することを含むことを特徴とする
請求項１−３のいずれか一項に記載の方法。
【請求項５】
前記第一のリソース周期と前記第二のリソース周期が信号を伝送するための時間領域リソース単位の整数倍であり、前記第一のリソース周期が前記第二のリソース周期より長いことを特徴とする
請求項４に記載の方法。
【請求項６】
前記端末装置が前記第一のＤＣＩ及び前記第二のＤＣＩにおける制御情報を組み合わせ、ターゲットデータの送信又は受信を行うことは、
前記端末装置が現在の第二のリソース周期内で検出された前記第二のＤＣＩ及び直近に検出された前記第一のＤＣＩにおける制御情報を組み合わせ、ターゲットデータの送信又は受信を行うことを含むことを特徴とする
請求項４又は５に記載の方法。
【請求項７】
前記端末装置がネットワーク装置から送信された第一のＤＣＩを検出することは、
前記端末装置が共通制御チャネルで前記第一のＤＣＩを検出すること、及び／又は、前記端末装置がセルの共通伝送パラメータに基づき、前記第一のＤＣＩを検出することを含むことを特徴とする
請求項１−６のいずれか一項に記載の方法。
【請求項８】
前記端末装置がネットワーク装置から送信された第二のＤＣＩを検出することは、
前記端末装置が共通制御チャネルで前記第二のＤＣＩを検出すること、又は、
前記端末装置がシステム帯域幅の部分の周波数領域リソースで前記第二のＤＣＩを検出することを含むことを特徴とする
請求項１−７のいずれか一項に記載の方法。
【請求項９】
前記部分の周波数領域リソースは前記第一のＤＣＩによって示される周波数領域リソースであることを特徴とする
請求項８に記載の方法。
【請求項１０】
前記第二のＤＣＩを搬送する制御チャネルと前記ターゲットデータを搬送するデータチャネルが同じ時間領域リソース及び／又は周波数領域リソースを占有していることを特徴とする
請求項１−９のいずれか一項に記載の方法。
【請求項１１】
前記第一のＤＣＩは、前記端末装置がターゲットデータの送信又は受信を行う時に使用される、
サブ搬送波間隔、
プリセット帯域幅におけるサブ搬送波の数、
物理リソースブロック（ＰＲＢ）に含まれるサブ搬送波の数、
直交周波数分割多重（ＯＦＤＭ）シンボル長、
フーリエ変換又は逆フーリエ変換によってＯＦＤＭ信号を生成するために使用されるポイントの数、
一つのＴＴＩに含まれるＯＦＤＭシンボルの数、
プリセット時間単位内に含まれるＴＴＩの数、
信号プレフィックス情報、
Ａ／Ｎフィードバック時間シーケンス情報、
物理リソース割り当てモード、
周波数ホッピング配置情報、
のうちの少なくとも一つを含むことを特徴とする
請求項１−１０のいずれか一項に記載の方法。
【請求項１２】
前記第二のＤＣＩは、前記端末装置がターゲットデータの送信又は受信を行う時に使用される、
物理リソース割り当て情報、
アップリンク送信電力制御情報、
Ａ／Ｎフィードバック時間シーケンス情報、
周波数ホッピング配置情報、
ハイブリッド自動再送リクエスト（ＨＡＲＱ）プロセス情報、
チャネル状態情報（ＣＳＩ）報告トリガ情報、
サウンディング基準信号（ＳＲＳ）伝送トリガ情報、
伝送ブロック伝送情報、
アップリンク復調基準信号（ＤＭＲＳ）配置情報、
ダウンリンクＤＭＲＳ配置情報のうちの少なくとも一つを含むことを特徴とする
請求項１−１１のいずれか一項に記載の方法。
【請求項１３】
無線ネットワークに基づく通信方法であって、
ネットワーク装置が端末装置へ第一のダウンリンク制御情報（ＤＣＩ）を送信することと、
前記ネットワーク装置が前記端末装置へ第二のＤＣＩを送信することを含み、ここで、前記第一のＤＣＩと前記第二のＤＣＩが前記端末装置のターゲットデータの送信又は受信に用いられる、前記通信方法。
【請求項１４】
端末装置であって、
命令が記憶されるメモリと、
請求項１−１２のいずれか一項に記載の方法を実施するように、前記命令を実行するように構成されるプロセッサと、を含む
前記端末装置。
【請求項１５】
ネットワーク装置であって、
命令が記憶されるメモリと、
請求項１３に記載の方法を実施するように、前記命令を実行するように構成されるプロセッサと、を含む
前記ネットワーク装置。
【国際調査報告】
2019525517.tif 000011
2019525517.tif 000012
2019525517.tif 000013
2019525517.tif 000014